(57)【要約】【課題】画像モニターリング、侵入探知、ホームオートメーション等、多様なサービスを提供する。【解決手段】固定ＩＰ住所、または、流動ＩＰ住所を介してカメラに登録され、ネットワークカメラは、固定ＩＰ住所、または、流動ＩＰ住所を介して接続要求した使用者とネットワーク接続され、監視画像を使用者に伝送する。ネットワークカメラは、ネットワーク接続された使用者からパン／チルト調節信号を受信し、該信号によりカメラの監視位置を調節する。また、上記カメラはネットワーク接続された使用者から外部装置の電力制御信号を受信し、電力線制御プロトコルを用いて電力線制御信号により外部装置の電源動作を制御する。また、カメラは異常動きによる異常状態監視信号をネットワーク接続された異常状態受け付けサーバに伝送し、異常状態受け付けサーバは、異常状態監視信号による警告メッセージをネットワーク接続された使用者に伝送する。【選択図】図１
2004040272.tif 000002
【特許請求の範囲】
【請求項１】
ネットワークを介して連結され、遠隔地に位置する少なくとも１つのネットワークカメラを用いた遠隔監視／制御方法において、
ネットワークを介して接続された使用者から前記ネットワークカメラのネットワーク固有住所を受信するステップと、
前記ネットワーク固有住所により前記ネットワークカメラを登録するステップと、
前記使用者から前記ネットワークカメラ接続要求を受信するステップと、
前記ネットワークカメラ接続要求に応じて前記使用者に応ずる前記ネットワークカメラのネットワーク固有住所を前記使用者に伝送するステップとを含み、かつ、
前記使用者は、前記ネットワーク固有住所を用いて接続された前記ネットワークカメラから監視画像を受信することを特徴とする遠隔監視／制御方法。
【請求項２】
前記ネットワーク接続された使用者から前記ネットワークカメラのネットワーク固有住所を受信するステップは、
前記使用者から前記ネットワークカメラのネットワーク固有住所体系情報を受信するステップと、
前記ネットワークカメラが固定ＩＰ住所体系の場合、前記使用者から前記ネットワークカメラの固定ＩＰ住所を受信し、前記ネットワークカメラが流動ＩＰ住所体系の場合、前記使用者から前記ネットワークカメラの流動ＩＰ情報を受信するステップとを含み、かつ、
前記ネットワーク固有住所はＭＡＣ住所、または、ＩＰ住所の中で、いずれかで、前記流動ＩＰ情報は少なくとも前記ネットワークカメラのＭＡＣ住所、流動ＩＰ通報周期を含むことを特徴とする請求項１記載の遠隔監視／制御方法。
【請求項３】
前記ネットワーク固有住所による前記ネットワークカメラ登録を遂行するステップは、
前記ネットワークカメラが固定ＩＰ住所体系の場合、前記使用者に対する固定ＩＰ住所を格納し、前記ネットワークカメラが流動ＩＰ住所体系の場合、前記使用者に対する流動ＩＰ住所を格納することにより、カメラを登録することを特徴とする請求項１、または、２記載の遠隔監視／制御方法。
【請求項４】
前記ネットワークカメラ接続要求に応じて前記使用者に応ずる前記ネットワークカメラのネットワーク固有住所を伝送するステップは、
前記ネットワークカメラ接続要求により前記使用者に応ずる前記　ネットワークカメラのＭＡＣ住所を伝送するステップと、
前記ＭＡＣ住所を介する前記使用者のカメラ接続要求を受信するステップと、前記ＭＡＣ住所に応ずる前記ネットワークカメラの流動ＩＰ住所を前記使用者に伝送するステップとを含むことを特徴とする請求項１、または、２記載の遠隔監視／制御方法。
【請求項５】
前記通報周期毎に前記ネットワークカメラから流動ＩＰ接続要求信号を受信するステップと、
前記ＭＡＣ住所により前記ネットワークカメラの登録の可否を判断するステップと、
前記ネットワークカメラが登録された場合、前記ＭＡＣ住所に対する流動ＩＰ住所をアップデートするステップとを更に含むことを特徴とする請求項１、または、２記載の遠隔監視／制御方法。
【請求項６】
前記ネットワークカメラから異常状態監視信号及び前記ネットワークカメラのＭＡＣ住所を受信するステップと、
前記受信された異常状態監視信号により警告メッセージを生成するステップと、
前記生成された警告メッセージを前記ＭＡＣ住所に応ずる使用者に伝送するステップと、
前記ネットワークカメラから異常状態監視画像を受信して格納するステップとを更に含むことを特徴とする請求項１記載の遠隔監視／制御方法。
【請求項７】
前記使用者はＰＣ端末機、または、無線インターネット端末機の中で、いずれかを介して前記ネットワークカメラにネットワーク接続されることを特徴とする請求項１記載の遠隔監視／制御方法。
【請求項８】
ネットワークを介して一定の使用者と接続されたネットワークカメラ制御方法において、
前記使用者から監視画像要求を受信するステップと、
前記監視画像要求に応ずる監視画像を前記使用者に適合しているフォーマットに変形するステップと、
前記フォーマットが変形された監視画像を前記使用者に伝送するステップと、前記監視画像による監視位置調節信号を前記使用者から受信するステップと、前記受信された監視位置調節信号に応じて前記ネットワークカメラの監視位置を調節するステップとを含み、かつ、
前記使用者は前記ネットワークカメラのネットワーク固有住所を用いてネットワークを介して前記ネットワークカメラに接続され、
前記ネットワーク固有住所は固定ＩＰ住所、または、流動ＩＰ住所であることを特徴とする遠隔監視／制御方法。
【請求項９】
前記ネットワークカメラは、前記監視位置調節信号に応じてパン／チルトを調節して監視位置を調節することを特徴とする請求項８記載の遠隔監視／制御方法。
【請求項１０】
前記使用者から異常状態監視要求を受信するステップと、
前記異常状態監視要求により監視地域の異常動きを感知するステップと、
異常動きの監視により前記使用者に異常状態監視信号及び前記ネットワークカメラのＭＡＣ住所を伝送するステップとを更に含むことを特徴とする請求項８記載の遠隔監視／制御方法。
【請求項１１】
前記使用者から電力線調節信号を受信するステップと、
前記電子機器分類コードに応ずる電子機器に前記電力線制御情報による電力線制御信号を伝送するステップとを更に含み、かつ、
前記電力線制御信号は、前記電子機器の電源オン／オフ動作を制御するための信号であることを特徴とする請求項８記載の遠隔監視／制御方法。
【請求項１２】
プログラムが格納されているメモリと、
前記メモリに結合されて前記プログラムを実行するプロセッサを含み、かつ、前記プロセッサは前記プログラムにより、
ネットワークを介して接続された使用者からネットワークカメラのネットワーク固有住所を受信するステップと、
前記ネットワーク固有住所による前記ネットワークカメラを登録するステップと、
前記使用者から前記ネットワークカメラ接続要求を受信するステップと、
前記ネットワークカメラ接続要求に応じて前記使用者に応ずる前記ネットワークカメラのネットワーク固有住所を伝送するステップとを実行し、かつ、
前記使用者は前記ネットワーク固有住所を用いて接続された前記ネットワークカメラから監視画像を受信することを特徴とする遠隔監視／制御装置。
【請求項１３】
前記プロセッサは、前記プログラムにより前記使用者から前記ネットワークカメラのネットワーク固有住所体系情報を受信するステップと、
前記ネットワークカメラが固定ＩＰ住所体系の場合、前記使用者から前記ネットワークカメラの固定ＩＰ住所を受信し、前記ネットワークカメラが流動ＩＰ住所体系の場合、前記使用者から前記ネットワークカメラの流動ＩＰ情報を受信するステップとを実行し、かつ、
前記ネットワーク固有住所は、ＭＡＣ住所、または、ＩＰ住所の中で、いずれかで、
前記流動ＩＰ情報は少なくとも前記ネットワークカメラのＭＡＣ住所、流動ＩＰ通報周期を含むことを特徴とする請求項１２記載の遠隔監視／制御装置。
【請求項１４】
前記プロセッサは、前記プログラムにより、
前記ネットワークカメラが固定ＩＰ住所体系の場合、前記使用者に対する固定ＩＰ住所を格納し、前記ネットワークカメラが流動ＩＰ住所体系の場合、前記使用者に対する流動ＩＰ住所を格納することにより、カメラの登録を遂行することを特徴とする請求項１２又は請求項１３記載の遠隔監視／制御装置。
【請求項１５】
前記プロセッサは、前記プログラムにより、前記ネットワークカメラ接続要求に応じて前記使用者に応ずる前記ネットワークカメラのネットワーク固有住所を伝送するステップは、
前記ネットワークカメラが流動ＩＰ住所体系の場合、前記使用者に応ずる前記ネットワークカメラＭＡＣ住所を伝送するステップと、
前記ＭＡＣ住所を通じた前記使用者のカメラ接続要求を受信するステップと、前記ＭＡＣ住所に応ずる前記ネットワークカメラの流動ＩＰ住所を前記使用者に伝送するステップとを実行するようになることを特徴とする請求項１２又は請求項１３記載の遠隔監視／制御装置。
【請求項１６】
前記プロセッサは、前記プログラムにより、
前記通報周期毎に前記ネットワークカメラから流動ＩＰ接続要求信号を受信するステップと、
前記ＭＡＣ住所により前記ネットワークカメラの登録の可否を判断するステップと、
前記ネットワークカメラが登録された場合、前記ＭＡＣ住所に対する流動ＩＰ住所をアップデートするステップとを更に行うことを特徴とする請求項１２又は請求項１３記載の遠隔監視／制御装置。
【請求項１７】
前記プロセッサは、前記プログラムにより、前記ネットワークカメラから異常状態監視信号及び前記ネットワークカメラのＭＡＣ住所を受信するステップと、
前記受信された異常状態監視信号により警告メッセージを生成するステップと、
前記生成された警告メッセージを前記ＭＡＣ住所に応ずる使用者に伝送するステップと、
前記ネットワークカメラから異常状態監視領域を受信して格納するステップとを更に行うようになることを特徴とする請求項１２記載の遠隔監視／制御装置。
【請求項１８】
前記使用者は、ＰＣ端末機、または、無線インターネット端末機のなかで、いずれかを介して前記ネットワークカメラとネットワーク接続されることを特徴とする請求項１２載の遠隔監視／制御装置。
【請求項１９】
複数の外部装置が接続されるカメラにおいて、
一定の地域の監視領域を撮影するイメージ入力部と、
前記撮影された画像をイメージ圧縮するイメージ圧縮部と、
前記ネットワークカメラのパン／チルトの調節のための位置駆動モータと、
ネットワーク接続された使用者とのネットワーク通信のためのネットワーク通信部と、
前記ネットワーク通信部から受信される前記使用者の要求により監視画像制御信号、動き監視制御信号、位置駆動モータ制御信号、前記外部装置電源動作制御信号を各々出力するカメラ制御部とを含み、かつ、
固定ＩＰ住所、または、流動ＩＰ住所を介して前記使用者とネットワーク接続されることを特徴とするネットワークカメラ。
【請求項２０】
前記ネットワークカメラは、前記地域に対する異常動きを監視する異常動き監視信号を出力する動き監視部を更に備えて、感知された信号をインターネットに伝送することを特徴とするネットワークカメラ。
【請求項２１】
前記ネットワークカメラは、前記外部装置の電源オン／オフ動作調節信号を出力する電力線通信部を更に含むことを特徴とする請求項１９記載のネットワークカメラ。
【請求項２２】
複数のクライアントにネットワークを介して画像データを伝送するための方法において、
外部から入力されるディジタル原画像データを符号化し、前記符号化された原画像フレームデータを基準に同一グループ内の全ての予測フレームデータを順次符号化するステップと、
前記クライアントから画像伝送信号の要求がある場合、前記符号化された原画像フレームデータ及び最も近来に符号化された予測フレームデータを当該クライアントにネットワークを介して伝送するステップとを含むことを特徴とするネットワークを通じた画像データ圧縮伝送方法。
【請求項２３】
前記伝送するステップは、
前記符号化された原画像フレームデータを各クライアントに応ずる各々のクライアントフレームメモリに格納するステップと、
前記クライアントからネットワークを介して画像データ伝送要求がある場合、画像フレームデータ伝送機能を遂行するタスクを発生するステップと、
ａ）前記発生されたデスクを用いてデータの伝送を要求した当該クライアントフレームメモリに格納された原画像フレームデータをネットワークを介して当該クライアントに伝送し、
ｂ）前記複数のフレームメモリ中、最も近来に符号化されて格納された予測フレームデータを当該クライアントフレームメモリに格納した後、前記発生されたタスクを用いて前記格納された予測フレームデータをネットワークを介して当該クライアントに伝送するステップと、
を含むことを特徴とする請求項２２記載のネットワークを通じた画像データ圧縮伝送方法。
【請求項２４】
互いに異なる伝送速度を有するネットワークに接続された複数のクライアントに画像データを伝送するシステムの画像データ圧縮方法において、入力されるディジタル画像信号の原画像データを符号化し、原画像フレームデータを生成した後、フレームメモリに格納するステップと、
前記フレームメモリに格納された原画像フレームデータの動きを予測して動きベクトル値を算出するステップと、
前記算出された動きベクトル値により前記符号化された原画像フレームデータの動きを補償して同一のグループ内の全ての予測フレームデータを順次符号化するステップとを含むことを特徴とする画像データ圧縮方法。
【発明の詳細な説明】
【０００１】
【発明の属する技術分野】
本発明は、ネットワーク（インターネット）に直接接続可能で、いろいろな外部装置等を連結することができるネットワークカメラと、該カメラを用いて遠隔監視／制御網を構成した後、画像モニターリング、侵入探知、ホームオートメーション等、いろいろなサービスを提供することができる遠隔監視／制御方法及びシステムに関する。
【０００２】
【従来の技術】
従来の無人警備システムは、監視しようとする場所を撮影して画像を伝送するための無人カメラや産業用ＴＶ、または、閉鎖回路ＴＶ（Ｃｌｏｓｅｄ　Ｃｉｒｃｕｉｔ　Ｔｅｌｅｖｉｓｉｏｎ　；　以下ＣＣＴＶという）を備えて当該地域の監視に使用された。例えば、従来の無人警備システムは、物流倉庫に設けられて、物品の入出庫場面の監視に使用されるとか、建物の火災や工場の作業工程を遠隔地からの監視に使用される。その際、無人カメラ、産業用ＴＶ、または、ＣＣＴＶのカメラは遠隔監視機能を行うことができるように監視地域に設けられ、当該地域を撮影した監視領域をアナログやディジタル信号に変換して同軸ケーブルを介して中央の管理室に設けられたモニタに伝送する。
【０００３】
このように、無人カメラ、産業用ＴＶ、または、ＣＣＴＶ等を用いた従来の監視システムはカメラが設けられた監視センターを設けて監視するので、近距離に管理者がいなければならないし、リアルタイムで監視状況を把握することができない場合には、監視画面を録画した後、録画フィルム等を分析し、その当時の状況が把握できるようになっている。
【０００４】
従って、従来の監視システムは、監視場所に対する突出状況、または、異常状況を管理者にリアルタイムで伝達することができなくて、管理者が突出状況、または、異常状況に対し、適切に対処することができない問題があり、従来の監視カメラは設置の際、固定された位置のみを監視するようになっているので、カメラの監視位置が間違いで設定された場合、または、監視位置を変更しようとする場合に遠隔地に設けられたカメラを管理者が直接調節しなければならない問題もある。
【０００５】
また、従来の監視システムは、監視カメラとモニタを同軸ケーブルを用いて連結するので限定された地域内でモニタを通じなければ監視することができなく、管理者が移動中であるか、距離が遠い遠隔地に位置する管理者は監視することができない問題がある。
【０００６】
一方、近来には専用線やケーブルモデム、または、ＡＤＳＬ（Ａｓｙｍｍｅｔｒｙ　Ｄｉｇｉｔａｌ　Ｓｕｂｓｃｒｉｂｅｒ’ｓ　Ｌｉｎｅ）等の高速インターネット連結手段が一般に使用されながら、アパート等のような共同住宅を建築する場合、全てのアパート入居者を対象に高速インターネット網を設置してやるサイバーアパートが建設されている。このようなサイバーアパートは、ホームオートメーションのための制御ボックスがビデオホーンボックスに含まれて構成され、電話ラインを介してホームオートメーションのための遠隔制御がなされる。
【０００７】
従って、従来のサイバーアパートのホームオートメーションは、電話ラインによりなされるので、使用者が視認することができないので、ホームオートメーションに対する使用者の信頼性を高めることができない問題もある。
【０００８】
【発明が解決しようとする課題】
本発明の目的は、前記のような従来技術の諸般問題の解決のために、案出したもので、ネットワークに接続可能で、有、無線ネットワークを介して接続された使用者により動作が制御され、監視画像をネットワークを介して伝送することができるネットワークカメラを提供することにある。
【０００９】
本発明の別の目的は、いろいろな制御方式の制御対象を連結した後、有、無線ネットワークを介して接続された使用者が制御対象の動作を遠隔地から制御することができるネットワークカメラを提供することにある。
【００１０】
本発明のさらなる別の目的は、前記のようなネットワークカメラと使用者を登録させておいて、使用者が要求すると前記ネットワークカメラから監視画像データを受信して使用者に伝達してやり、使用者の制御データを前記ネットワークカメラに伝達してやるネットワークカメラを用いた遠隔監視／制御システム及び方法を提供することにある。
【００１１】
本発明のさらなる別の目的は、前記ネットワークカメラから監視地域の侵入や監視対象の異常状態が伝達されると、予め設定された使用者に侵入事実や異常状態を通知してやるネットワークカメラを用いた遠隔監視／制御システム及び方法を提供することにある。
【００１２】
本発明のさらなる別の目的は、前記ネットワークカメラに家庭用電気製品等を連結した後、有、無線ネットワークを介して接続された使用者が外部から当該電気製品の動作を制御することができる遠隔監視／制御システム及び方法を提供することにある。
【００１３】
本発明の又別の目的は、ネットワークカメラとサーバとクライアントとの間にネットワークを介して画像データを伝送する場合、これを圧縮して伝送することができる画像データ圧縮伝送方法及びシステムを提供することにある。
【００１４】
【課題を解決するための手段】
前述の目的の達成のために、本発明は、遠隔地の少なくとも１つのネットワークカメラを用いた画像モニターリング方法において、ネットワークを介して接続された使用者からネットワークカメラのネットワーク固有住所を受信するステップと（ネットワーク固有住所はＭＡＣ住所、または、ＩＰ住所である）、ネットワーク固有住所によるネットワークカメラを登録するステップと、使用者からネットワークカメラ接続要求を受信するステップと、ネットワークカメラ接続要求に応じて使用者に応ずるネットワークカメラの固有住所を伝送するステップとを含み、かつ、使用者はネットワーク固有住所を用いて接続されたネットワークカメラから監視画像を受信する画像モニターリング方法を提供することにその特徴がある。
【００１５】
ここで、ネットワーク接続された使用者からネットワークカメラのネットワーク固有住所を受信するステップは、使用者からネットワークカメラのネットワーク固有住所体系情報を受信するステップと（ネットワーク固有住所体系は、少なくとも固定ＩＰ住所体系、または、流動ＩＰ住所体系中いずれかである）、ネットワークカメラが固定ＩＰ住所体系の場合、使用者から前記ネットワークカメラの固定ＩＰ住所を受信し、ネットワークカメラが流動ＩＰ住所体系の場合、使用者から監視カメラの流動ＩＰ情報を受信するステップとを含み、かつ、流動ＩＰ情報は、少なくともネットワークカメラのＭＡＣ住所、流動ＩＰ通報周期を含む。
【００１６】
また、本発明は、ネットワーク固有住所によるネットワークカメラの登録を遂行するステップは、ネットワークカメラが固定ＩＰ住所体系の場合、使用者に対する固定ＩＰ住所を格納し、ネットワークカメラが流動ＩＰ住所体系の場合、使用者に対する流動ＩＰ住所を格納することにより、カメラの登録を遂行する。
【００１７】
また、本発明は、ネットワークカメラ接続要求に応じて使用者に応ずるネットワークカメラのネットワーク固有住所を伝送するステップは、ネットワークカメラが固定ＩＰ住所体系の場合、使用者に応ずる前記ネットワークカメラの固定ＩＰ住所を伝送する。
【００１８】
また、本発明は、ネットワークカメラ接続要求に応じて使用者に応ずるネットワークカメラのネットワーク固有住所を伝送するステップは、ネットワークカメラが流動ＩＰ住所体系の場合、使用者に応ずるネットワークカメラのＭＡＣ住所を伝送するステップと、ＭＡＣ住所を通じた使用者のカメラ接続要求を受信するステップと、ＭＡＣ住所に応ずるネットワークカメラの流動ＩＰ住所を使用者に伝送するステップとを含む　。
【００１９】
また、本発明は、通報周期毎にネットワークカメラから流動ＩＰ接続要求信号を受信するステップと（流動ＩＰ受付け要求信号は、ネットワークカメラのＭＡＣ住所及び流動ＩＰ住所を含む）、ＭＡＣ住所によりネットワークカメラの登録の可否を判断するステップと、ネットワークカメラが登録された場合、ＭＡＣ住所に対する流動ＩＰ住所をアップデートするステップとを更に含む。
【００２０】
また、本発明は、ネットワークカメラから異常状態監視信号を受信するステップと、受信された異常状態監視信号により警告メッセージを生成するステップと、生成された警告メッセージをネットワークカメラに応ずる使用者に伝送するステップと、ネットワークカメラから異常状態監視領域を受信して格納するステップとを更に含む。
【００２１】
本発明の別の特徴は、ネットワークを介して一定の使用者と接続されたネットワークカメラ制御方法（ネットワークカメラは、複数の外部電子機器と接続される）において、使用者から監視画像要求を受信するステップと、要求された監視画像を使用者に適合しているフォーマットに変形して伝送するステップと、監視画像による監視位置調節信号を使用者から受信するステップと、受信された監視位置調節信号に応じてネットワークカメラのパン／チルトの調節を行うステップとを含み、かつ、使用者は前記ネットワークカメラのネットワーク固有住所を　介してネットワーク接続されることを特徴とするネットワークカメラ制御方法を提供することにある。
【００２２】
ここで、使用者から異常状態監視要求を受信するステップと、異常状態監視要求により一定の監視地域の異常動きを監視するステップと、異常動きの監視により使用者に異常状態監視信号を伝送するステップとを更に含む。
【００２３】
また、本発明の又別の特徴は、使用者から電力線調節信号（電力線調節信号は電子機器分類コード及び電力線制御情報を含む）を受信するステップと、電子機器分類コードに応ずる電子機器に電力線制御情報による電力線制御信号を伝送するステップとを更に含み、かつ、電力線制御信号は前記電子機器の電源オン／オフ動作を制御するための信号であることを特徴とする。
【００２４】
【発明の実施の形態】
以下、本発明の実施の形態について添付の図面を参照しながら詳細に説明する。
図１は、本発明にかかるネットワークカメラを用いた遠隔監視／制御網の構成図である。
【００２５】
図１を参照すると、本発明にかかるネットワークカメラを用いた遠隔監視／制御網は、ＰＣ端末機１００、インターネット１０２、無線通信網１０４、無線インターネット端末機１１０、無線インターネットサーバ１２０、基地局１３０、遠隔監視／制御サービスサイト１４０及びハブ１５２を介してインターネット１０２に接続される第１ないし第Ｎのネットワークカメラ１５０−１〜１５０−Ｎを含む。そして、ネットワークカメラ１５０−１には、侵入探知や火災感知等のためのセンサー１５４が連結されることができ、制御対象を直接制御するためのリレー１５６が連結されることができ、いろいろな制御網１６０が連結されることができる。本発明の実施の形態において、制御網１６０は電力線通信プロトコルにより家庭用家電製品等の電源を制御するためのＸ．１０網であり、Ｘ．１０網は、制御情報を提供するＸ．１０トランスミッタ１６２と、制御対象が連結されるＸ．１０レシーバ１６４−１〜１６４−３、そして、これらの間に通信経路を提供するための電力線１６８からなる。本発明の実施の形態において、Ｘ．１０トランスミッタ１６２にはネットワークカメラ１５０−１が連結されており、Ｘ．１０レシーバ１６４−１〜１６４−３にはエアコン１６６−１、電灯１６６−２、ボイラー１６６−３等が各々連結されている。
【００２６】
ＰＣ端末機１００は、通常のウェブブラウザーが搭載されており、インターネット１０２を介して遠隔監視／制御サービスサイト１４０に接続される。無線インターネット端末機１１０は、セルラホンやＰＤＡ等として、ＷＡＰ端末機、Ｉ−ＭＯＤＥ端末機、または、Ｊ−ＳＫＹ端末機等を含んだ。無線インターネットサーバ１２０は、無線インターネット端末機１１０に無線インターネットプロトコルを提供し、無線インターネットを一般のインターネットと連結するためのサーバである。　無線インターネット端末機１１０は、基地極１３０と無線通信網１０４とを介して　無線インターネットサーバ１２０に接続され、　無線インターネットサーバ１２０から一般のインターネットプロトコルに変換され、インターネット１０２を介して遠隔監視／制御サービスサイト１４０に接続される。無線インターネットサーバ１２０は、遠隔監視／制御サービスサイト１４０に含まれて構成されることもできる。
【００２７】
遠隔監視／制御サービスサイト１４０は、図２に示すように、固有機能を遂行するインタフェースサーバ２２０とデータベース２５０からなり、使用者認証やネットワークカメラの登録を処理し、無線インターネットや有線インターネットを介して接続した使用者とネットワークカメラとの間の接続を中継する。即ち、ＰＣ端末機１００、または、無線インターネット端末機１１０は、第１ないし第Ｎのネットワークカメラ１５０−１〜１５０−Ｎのネットワーク固有住所を遠隔監視／制御サービスサイト１４０に伝送し、遠隔監視／制御サービスサイト１４０は、ＰＣ端末機１００、または、無線インターネット端末機１１０に対する第１ないし第Ｎのネットワークカメラ１５０−１〜１５０−Ｎのネットワーク固有住所を登録する。ここで、ネットワーク固有住所は、固定ＩＰ住所、または、ＭＡＣ住所を含む。そして、遠隔監視／制御サービスサイト１４０は、　ＰＣ端末機１００、または、無線インターネット端末機１１０からＭＡＣ住所による第１ないし第Ｎのネットワークカメラ１５０−１〜１５０−Ｎの接続要求信号が入力されると、入力されたＭＡＣ住所に応ずる第１ないし第Ｎのネットワークカメラ１５０−１〜１５０−Ｎの流動ＩＰ住所をＰＣ端末機１００、または、無線インターネット端末機１１０に伝送する。
【００２８】
第１ないし第Ｎのネットワークカメラ１５０−１〜１５０−Ｎは、図２６に示すように構成され、ＩＰ住所、または、ＭＡＣ住所によりＰＣ端末機１００、または、無線インターネット端末機１１０と接続され、それにより監視画像伝送、遠隔制御、ホームオートメーション及び電力線制御機能を遂行する。即ち、ネットワークカメラ１５０−１〜１５０−Ｎには監視対象を感知するためのセンサー１５４と監視対象の動作を直接制御するためのリレー１５６、家庭用家電製品等を制御するためのＸ．１０トランスミッタ１６２が連結されて、センサー１５４から感知された信号と自体カメラで撮影した監視画像を遠隔監視／制御サービスサイト１４０や使用者側に伝送し、インターネット１０２を介して受信された使用者制御コマンドによりカメラの姿勢を制御すると共に、家電製品の動作を制御する。その際、ハブ１５２はケーブルモデム（図示していない）やラウター（図示していない）等、ネットワーク装備を介してインターネット１０２に接続される。
【００２９】
図２は、図１に示した遠隔監視／制御サービスサイトの構成ブロック図であって、インターネットを介して連結されるクライアント２０５とインタフェースサーバ２２０とデータベース２５０とネットワークカメラ２３０とが図示されている。
図２を参照すると、遠隔監視／制御サービスサイト１４０は、クライアント２０５とネットワークカメラ２３０とを連結するための機能を遂行するインタフェースサーバ２２０と各種データを格納するためのデータベース２５０からなるが、インタフェースサーバ２２０は使用者認証サーバ２２１、カメラ登録サーバ２２２、ＩＰ受け付けサーバ２２３、ＩＰ検索サーバ２２４、中継サーバ、異常状態受け付けサーバ２２６からなり、データベース２５０は使用者情報データベース２５１と固定ＩＰ住所データベース２５２、ＭＡＣ住所データベース２５３、住所連動データベース２５４、異常状態データベース２５６からなる。ここで、各々のサーバは、遂行する機能上、分離されたもので、ハードウェア的では、１つのサーバコンピュータで具現されることができる。
【００３０】
使用者システムであるクライアント２０５は、通常のインターネットサービスを用いることができるＰＣ端末機２００と無線インターネット可能なＰＤＡやセルラホンからなる無線インターネット端末機２１０からなり、ネットワークカメラ２３０は各監視地域に設けられる多数のネットワークカメラ２３０−１〜２３０−Ｎと各カメラ２３０−１〜２３０−Ｎに連結されることができる動き感知センサー２４０−１〜２４０−Ｎ等からなる。
【００３１】
ＰＣ端末機２００には、本発明にかかるサービスの利用を容易にするクライアントモジュール２０２が搭載されており、クライアントモジュール２０２は一定の地域の画像をモニターリングし、ホームオートメーションを具現するためのカメラ２３０をインターフェースサーバ２２０に登録することができる。即ち、クライアントモジュール２０２は、ネットワークカメラ２３０のネットワーク固有住所である固定ＩＰ（Ｉｎｔｅｒｎｅｔ　Ｐｒｏｔｏｃｏｌ）住所、または、ＭＡＣ（Ｍｅｄｉａ　Ａｃｃｅｓｓ　Ｃｏｎｔｒｏｌ）住所を遠隔監視／制御サービスサイト１４０に登録する機能を含んだ。また、クライアントモジュール２０２は、インターネットに接続されたネットワークカメラ２３０から受信された監視画像をディスプレーするための画面ビューア（ｖｉｗｅｒ）及び監視位置を制御するための位置制御プログラムを含む。カメラの監視位置は、カメラのＰＡＮを介して水平方向に調節することができ、カメラのチルト（Ｔｉｌｔ）を介して垂直方向に調節することができる。
【００３２】
使用者認証サーバ２２１はインターネットに接続されたＰＣ端末機２００及び無線インターネット端末機２１０の使用者を登録及び認証するためのサーバで、カメラ登録サーバ２２２はネットワークカメラ２３０のネットワーク登録を行うためのサーバである。ここで、ネットワークカメラ２３０のネットワーク登録は、各ネットワークカメラ２３０−１〜２３０−Ｎが有するネットワーク固有住所である固定ＩＰ住所、または、ＭＡＣ住所を当該住所データベースに格納するのである。
【００３３】
通常、インターネットに接続された多数の通信端末機を区分するため、各通信端末機は各々のネットワーク固有住所を有するが、これは、ソフトウェア住所及びハードウェア住所からなる。ここで、ソフトウェア住所はＩＰ住所（Ｉｎｔｅｒｎｅｔ　Ｐｒｏｔｏｃｏｌ　Ａｄｄｒｅｓｓ）といい、ハードウェア住所はＭＡＣ　（Ｍｅｄｉａ　Ａｃｃｅｓｓ　Ｃｏｎｔｒｏｌ）住所という。ハードウェア住所であるＭＡＣ住所は物理的住所であって、変わらない固定住所であるが、ＩＰ住所は１回割り当てられたＩＰ住所が変わらない固定ＩＰ住所と、接続時毎にＩＰ住所が変わる流動ＩＰ住所とに分けられる。ここで、流動ＩＰ住所体系は、その数字が固定されているＩＰ住所を多数の使用者が使用するようにするための体系であって、１つのＩＰ住所を多数の使用者が共有するのである。
【００３４】
ＩＰ受け付けサーバ２２３は、流動ＩＰ住所体系を有する第１ないし第Ｎのネットワークカメラ２３０−１〜２３０−Ｎから通報される流動ＩＰ住所を格納するように構成され、ＩＰ検索サーバ２２４はＰＣ端末機２００、または、無線インターネット端末機２１０からＭＡＣ住所を用いて接続が要求されるとＭＡＣ住所に応ずる第１ないし第Ｎのネットワークカメラ２３０−１〜２３０−Ｎの流動ＩＰ住所を検索する。中継サーバ２２５は、ＰＣ端末機２００、または、無線インターネット端末機２１０から要求された　第１ないし第Ｎのネットワークカメラ２３０−１〜２３０−Ｎの流動ＩＰ住所をＰＣ端末機２００、または、無線インターネット端末機２１０に伝送し、異常状態受け付けサーバ２２６は第１ないし第Ｎのネットワークカメラ２３０−１〜２３０−Ｎからの異常状態監視信号が受信されると、監視された異常状態による当該情報をＰＣ端末機２００、または、無線インターネット端末機２１０に伝送される。
【００３５】
使用者情報データベース２５１は図３に示すように、少なくとも使用者ＩＤフィールド、名前フィールド及び認証コードフィールドを含んでおり、固定ＩＰ住所データベース２５２は、図４に示すように、少なくとも使用者ＩＤフィールド、ＩＰ住所フィールド及びカメラ名／番号フィールドを含んでいる。ＭＡＣ住所データベース２５３は図５に示すように、少なくとも識別子フィールド、使用者ＩＤフィールド、ＭＡＣ住所フィールド、カメラ名／番号フィールド、受け付けサーバ住所フィールド及びＩＰ通報周期フィールドを含む。住所連動データベース２５４は図６に示すように、少なくともＭＡＣ住所フィールド及びＩＰ住所フィールドを含み、異常状態データベース２５６は図７に示すように、少なくとも異常状態分類コード及び伝送メッセージ内容フィールドを含む。
【００３６】
このように構成される本発明によるネットワークカメラを用いた遠隔監視／制御網の動作を説明すると次の通りである。
１．使用者認証（登録）及びカメラ登録過程
先ず、ＰＣ端末機２００、または、無線インターネット端末機２１０のようなクライアント２０５がネットワークカメラ２３０を用いて遠隔監視／制御、侵入者探知、訪問客確認、ホームオートメーション等を遂行するためにはサービス提供サイト１４０に接続して使用者登録及び認証し、ネットワークカメラ２３０をネットワーク登録する過程が先行されなければならない。
使用者認証（登録）は図８に示すように、クライアント２０５と使用者認証サーバ２３１により遂行される。
【００３７】
図８を参照すると、クライアント２０５がインターフェースサーバ２２０に接続して個人身上情報、例えば使用者の名前、使用者ＩＤ、パスワード、職業、趣味等を伝送した後、サービス要求を行うと（Ｓ４００）、インターフェースサーバ２２０の使用者認証サーバ２２１はクライアント２０５に応ずる認証コードを発生する（Ｓ４０２）。その際、使用者認証サーバ２２１はクライアント２０５のＩＤ、名前等の身上情報及び認証コードを使用者情報データベース２５１に格納する（Ｓ４０４）。
【００３８】
次に、使用者認証サーバ２２１は発生された認証コードをクライアント２０５に伝送し（Ｓ４０６）、クライアント２０５は認証コードを受信した後、受信された認証コードを更に使用者認証サーバ２２１に伝送する（Ｓ４０８）。
使用者認証サーバ２２１は、クライアント２０５から回信された認証コードによりクライアント２０５の認証を行った後（Ｓ４１０）、認証完了メッセージをクライアント２０５に伝送することにより、使用者認証を完了する（Ｓ４１２）。
例えば、図３でのように、‘イ　ヨン　エ’というクライアントが‘Ｉｅｅ’というＩＤを介してインターフェースサーバ２２０に接続すると、使用者認証サーバ２２１は、‘イ　ヨン　エ’というクライアント２０５に‘Ｉｅｅ００４’という認証コードを発生した後、クライアント２０５に伝送する。クライアント２０５は‘Ｉｅｅ００４’という認証コードを受信した後、更に使用者認証サーバ２２１にこれを伝送し、　使用者認証サーバ２２１がこれを確認することにより、‘イ　ヨン　エ’というクライアントに対する認証が完了される。その際、使用者認証サーバ２２１は‘イ　ヨン　エ’というクライアントに対する‘Ｉｅｅ００４’という認証コードを使用者情報データベース２５１に格納する。
【００３９】
ネットワークカメラ２３０をネットワーク登録する過程は、ネットワークカメラ２３０のＩＰが固定ＩＰであるか、流動ＩＰであるかによって異になり、接続するクライアント２０５にクライアントモジュール２０２が搭載されているかどうかによって異になる。
図９は、本発明により固定ＩＰ住所を有するカメラ登録過程の順序図であり、図１０は、ＰＣ端末機に構成されているクライアントモジュールのカメラ登録画面の一例である。
【００４０】
先ず、図９に示すように、図８の動作を介して使用者認証されたクライアント２０５がネットワークカメラ２３０を登録するためにクライアントモジュール２０２のカメラ登録プログラムを実行する（Ｓ５００）。その際、ネットワークカメラ２３０は固有住所、即ち、ＩＰ住所が変わらない固定ＩＰ住所体系を有する。そして、各ネットワークカメラ２３０−１〜２３０−Ｎの識別のための固有住所は、ラウターやハブ等のノードに割り当てられた固定ＩＰと各カメラ２３０−１〜２３０−Ｎを識別するためのカメラ名／番号からなる。
クライアント２０５がクライアントモジュール２０２のカメラ登録プログラムを実行させると、図１０のようにカメラを登録するために、情報を入力するための‘カメラ登録情報入力画面’（以下、簡単に‘カメラ登録画面’という）が出力される。図１０のカメラ登録画面を介してクライアント２０５がネットワークカメラ２３０の登録情報を入力する。
【００４１】
図１０を参照すると、カメラ登録画面は、ＩＰ状態選択窓６００、ＭＡＣ住所入力窓６０２、ＩＰ住所入力窓６０４、ＩＰ受け付けサーバのＩＰ住所入力窓６０６、ＩＰ住所通報周期入力窓６０８、カメラ名／番号入力窓６１０及び伝送アイコン６１２等を含む。
クライアント２０５が固定ＩＰ住所を有するネットワークカメラ２３０を登録するために、ＩＰ状態選択窓６００から“固定ＩＰ”を選択し、ＩＰ住所入力窓６０４にネットワークカメラ２３０のＩＰ住所、カメラ名／番号入力窓６１０にカメラ名、または、番号を入力する（Ｓ５０２）。その際、クライアント２０５がＩＰ状態選択窓６００から“固定ＩＰ”を選択すると、ＭＡＣ住所入力窓６０２、ＩＰ受け付けサーバのＩＰ住所入力窓６０６及びＩＰ住所通報周期入力窓６０８は入力不可能な状態に設定される。
クライアント２０５が図１０の画面を介してネットワークカメラ２３０の固定ＩＰ住所情報を入力した後、伝送アイコン６１２をクリックしてカメラ登録サーバ２２２に固定ＩＰ住所情報を伝送する（Ｓ５０４）。ここで、固定ＩＰ住所情報は、ネットワークカメラ２３０の固定ＩＰ住所と各ネットワークカメラ２３０−１〜２３０−Ｎのカメラ名／番号を含む。
【００４２】
カメラ登録サーバ２２２は、ネットワークカメラ２３０の工程ＩＰ住所情報を受信してクライアント情報に応ずる形態で固定ＩＰ住所データベース２５２に格納する。即ち、図４でのように、カメラ登録サーバ２２２は、使用者ＩＤに対応する第１ないし第Ｎのネットワークカメラ２３０−１〜２３０−Ｎの固定ＩＰ住所及びカメラ名／番号形態で格納する。その際、カメラ名／番号は固定ＩＰが与えられたラウター、または、ハブ等のネットワーク装置に複数のカメラが接続されている場合、カメラを分類するためのものである。例えば、クライアント２０５のＩＤが‘Ｉｅｅ’で、ネットワークカメラ２３０のＩＰ住所が‘Ｓ‐１００’で、第１のネットワークカメラ２３０−１のカメラ名／番号が‘００１’である場合、図４のように固定ＩＰ住所データベース２５２に格納される。
このようにカメラ登録サーバ２２２は、クライアント２０５から伝送されたネットワークカメラ２３０のの固定ＩＰ住所情報を固定ＩＰ住所データベースに格納してカメラの登録を完了する。
【００４３】
一方、ネットワークカメラ２３０が流動ＩＰ住所体系を有する場合のカメラ登録動作を図１１を参照しながら説明する。
図１１を参照すると、クライアント２０５がクライアントモジュール２０２のカメラ登録プログラムを実行すると（Ｓ７００）、図１０のようなカメラ登録画面がクライアント２０５の端末機上に出力される。
クライアント２０５が図１０のＩＰ状態選択窓６００に“流動ＩＰ”を選択し、ＭＡＣ住所入力窓６０２にネットワークカメラ２３０のＭＡＣ住所を入力する。次に、クライアント２０５は、ＩＰ受け付けサーバのＩＰ住所入力窓６０６にＩＰ住所を入力するが、ＩＰ受け付けサーバ２２３のＩＰ住所はクライアント２０５の流動ＩＰの選択によって自動に設定されることができる。クライアント２０５は、ＩＰ住所通報周期入力窓６０８に通報周期を入力する。その際、ＩＰ通報周期はクライアント２０５の流動ＩＰ選択により自動に設定されることもできる。また、クライアント２０５はカメラ名／番号入力窓６１０にカメラ名、または、番号を入力する。
【００４４】
クライアント２０５は、図１０のような画面を介してネットワークカメラ２３０のＭＡＣ住所、ＩＰ受け付けサーバ２２３のＩＰ住所、ＩＰ通報周期及び各ネットワークカメラ２３０−１〜２３０−Ｎのカメラ名／番号を含む流動ＩＰ住所情報を入力した後、伝送アイコン６１２をクリックして入力情報をカメラ登録サーバに伝送する（Ｓ７０２）。
カメラ登録サーバ２２２は、クライアント２０５から受信された第１ないし第Ｎのネットワークカメラ２３０−１〜２３０−Ｎの流動ＩＰ情報をＭＡＣ住所データベース２５３に格納する（Ｓ７０４）。
例えば、‘Ｋｉｍ’というＩＤを有するクライアント２０５が‘Ｍ１００’というネットワークカメラ２３０のＭＡＣ住所と第１のネットワークカメラ２３０−１の‘００１’という　カメラ名／番号、‘Ｒ１００’というＩＰ受け付けサーバのＩＰ住所及び‘００：００：００’のＩＰ通報周期を含む流動ＩＰ情報を伝送すると、カメラ登録サーバ２２２は図５のようにＭＡＣ住所データベース２５３に格納する。
【００４５】
カメラ登録サーバ２２２は、クライアント２０５から受信された流動ＩＰ情報中、ＭＡＣ住所をＩＰ受け付けサーバ２２３に伝送し（Ｓ７０６）、ＩＰ受け付けサーバ２２３はＭＡＣ住所を格納（Ｓ７０８）することにより流動ＩＰを有する第１ないし第Ｎのネットワークカメラ２３０−１〜２３０−Ｎの登録を完了する。
一方、クライアント２０５端末機にクライアントモジュール２０２が設けられていない場合の固定ＩＰを有する第１ないし第Ｎのネットワークカメラの登録過程を図１２を参照しながら説明する。
図１２を参照するとクライアント２０５がインターネットを介してカメラ登録サーバ２２２に接続した後、カメラの登録を要求する（Ｓ８００）。
カメラ登録サーバ２２２はカメラ登録情報を入力されるための画面を構成し（Ｓ８０２）、構成されたカメラ登録情報入力画面をクライアント２０５に伝送する（Ｓ８０４）。ここで、カメラ登録情報を入力されるための画面は図１０のような画面構成を有することができる。
【００４６】
クライアント２０５は受信されたカメラ登録情報入力画面を介して、第１ないし第Ｎのネットワークカメラ２３０−１〜２３０−Ｎの固定ＩＰ住所及びカメラ名／番号を含む固定ＩＰ情報を入力し（Ｓ８０６）、固定ＩＰ情報をカメラ登録サーバ２２に伝送する。
カメラ登録サーバ２２２は、クライアント２０５から第１ないし第Ｎのネットワークカメラ２３０−１〜２３０−Ｎの固定ＩＰ情報を固定ＩＰ住所データベース２５２に格納して第１ないし第Ｎのネットワークカメラ２３０−１〜２３０−Ｎの登録を完了する（Ｓ８１０）。
一方、クライアント２０５端末機にクライアントモジュール２０２が設けられていない場合、流動ＩＰを有する第１ないし第Ｎのネットワークカメラの登録過程を図１３を参照しながら説明する。
図１３を参照すると、クライアント２０５はインターネットに接続されたカメラ登録サーバ２２２にカメラの登録を要求し（Ｓ９００）、カメラ登録サーバ２２２はカメラ登録情報を入力されるための図１０のようなカメラ登録画面を構成する（Ｓ９０２）。
カメラ登録サーバ２２２は、構成されたカメラ登録画面をクライアント２０５に伝送し、クライアント２０５はカメラ登録画面を介して第１ないし第Ｎのネットワークカメラ２３０−１〜２３０−ＮのＭＡＣ住所、ＩＰ受け付けサーバのＩＰ住所及びＩＰ通報周期を含む流動情報を入力する（Ｓ９０４、Ｓ９０６）。
【００４７】
クライアント２０５は流動ＩＰ情報をカメラ登録サーバ２２２に伝送し（Ｓ９０８）、カメラ登録サーバ２２２はクライアント２０５に対する流動ＩＰ情報をＭＡＣ住所データベース２５３に格納する（Ｓ９１０）。
以後、カメラ登録サーバ２２２は、第１ないし第Ｎのネットワークカメラ２３０−１〜２３０−Ｎの流動ＩＰ住所情報中、ＭＡＣ住所をＩＰ受け付けサーバ２２３に伝送し（Ｓ９１２）、ＩＰ受け付けサーバ２２３はＭＡＣ住所を格納する（Ｓ９１４）。
【００４８】
本発明のネットワークカメラ２３０に与えられる流動ＩＰ住所のアップデート動作を図１４を参照しながら説明する。
図１４を参照すると、ネットワークカメラ２３０は、ＭＡＣ住所に対するＩＰ住所をインターネットサービス業体（ＩＳＰ）から与えられ（Ｓ１００）、カメラ登録の際に設定されたＩＰ通報周期を計数する（Ｓ１００２）。
計数時間がＩＰ通報周期に達するとネットワークカメラ２３０は、ＭＡＣ住所によりＩＰ受け付け要求をＩＰ受け付けサーバ２２３に伝送する（Ｓ１００４）。その際、ネットワークカメラ２３０は、インターネットサービス業体（ＩＳＰ）から与えられた流動ＩＰ住所も共に伝送する。ここで、ネットワークカメラ２３０は、電源がオン（ＯＮ）になった状態でＩＰ通報周期を計数するように設定されることもできる。
ＩＰ受け付けサーバ２２３は、ＩＰ受け付けを要求したネットワークカメラ２３０のＭＡＣ住所が格納されているかどうかを判断する（Ｓ１００６）。即ち、ネットワークカメラ２３０がＭＡＣ住所を介してカメラ登録されているかを判断する。ＩＰ受け付けサーバ２２３は、ＭＡＣ住所が格納されている場合、ＩＰ受け付け要求の際、入力されたＩＰ住所を住所連動データベース２５４に格納する（Ｓ１００８）。このような流動ＩＰアップデート過程は、ネットワークカメラ２３０に設定されたＩＰ通報周期に達する場合、繰返し遂行される。
【００４９】
このように、使用者認証とカメラのネットワーク登録を完了した後、ネットワークカメラを用いて画像モニターリング、異常状態監視（侵入探知）、ホームオートメーション等、いろいろなサービスを遂行する過程は次の通りである。
２．　画像モニターリングサービス
図１５は、本発明により固定ＩＰ住所を有するカメラの姿勢制御のための順序図で図１６は、ネットワークカメラに接続し、カメラの姿勢を制御するためのプログラムの画面の例である。
図１５を参照すると、クライアント２０５は、ネットワークカメラ２３０の固定ＩＰ住所と、カメラ名／番号を介して、第１ないし第Ｎのネットワークカメラ２３０−１〜２３０−Ｎは接続要求信号を伝送し、第１ないし第Ｎのネットワークカメラ２３０−１〜２３０−Ｎは、接続要求信号によってクライアント２０５とインターネットを介して接続される（Ｓ１１００）。その際、第１ないし第Ｎのカメラ２３０−１〜２３０−Ｎに接続するためには、クライアント２０５が先に遠隔制御／監視サービスサイト１４０に接続した後、アイディ（ＩＤ）と秘密番号等を入力して使用者認証過程を経るようにすることが望ましい。
【００５０】
クライアント２０５は、インターネットに接続された第１ないし第Ｎのカメラ２３０−１〜２３０−Ｎに監視画像を要求し（Ｓ１１０２）、第１ないし第Ｎのカメラ２３０−１〜２３０−Ｎは要求された監視画像をクライアント２０５に伝送する（Ｓ１１０４）。その際、第１ないし第Ｎのネットワークカメラ２３０−１〜２３０−Ｎは監視画像をクライアント２０５に適切な画像フォーマットに変更した後、伝送することもでき、遠隔制御／監視サービスサイト１４０を経て伝送することもできる。
クライアント２０５は、受信された監視画像情報により第１ないし第Ｎのネットワークカメラ２３０−１〜２３０−Ｎの監視位置を制御するために、クライアントモジュール２０２内のカメラ監視位置制御プログラムを実行する（Ｓ１１０６）。カメラ監視位置制御プログラムが実行されると、図１６のようにカメラの監視位置を制御するための入力画面（以下、‘カメラ制御画面’という）がクライアントに提供される。
図１６を参照すると、カメラ制御画面は第１ないし第Ｎのネットワークカメラ２３０−１〜２３０−Ｎから受信された監視画像がディスプレイされる監視画像ディスプレイ部１２００、第１ないし第Ｎの動きセンサー２４０−１〜２４０−Ｎの動作を制御するためのセンサー制御部１２０２及び第１ないし第Ｎのネットワークカメラ２３０−１〜２３０−Ｎに設けられているランプ（図示していない）の動作を制御するためのランプ制御部１２０４を含む。また、カメラ制御画面は第１ないし第Ｎのネットワークカメラ２３０−１〜２３０−Ｎの上、下、左、右の動作（ＰＡＮ、ＴＩＬＴ）を制御するための位置制御部１２１０、第１ないし第Ｎのネットワークカメラ２３０−１〜２３０−Ｎとの接続のための接続アイコン１２２２、接続終了のための非接続アイコン１２２４、監視画像ディスプレイ部１２００でディスプレイされる画像をキャップチャー（ｃａｐｔｕｒｅ）するためのキャッチャーアイコン１２２６、監視画像を格納するための格納アイコン１２２８及び格納された画像をディスプレイするための再生アイコン１２３０等を含む。
【００５１】
クライアント２０５は、図１６のようなカメラ制御画面のセンサー制御部１２０２を介してオン／オフ制御信号を入力すると、中継サーバ２２５は、センサーのオン／オフ制御信号を第１ないし第Ｎのネットワークカメラ２３０−１〜２３０−Ｎに伝送し、第１ないし第Ｎのネットワークカメラ２３０−１〜２３０−Ｎはセンサーのオン／オフ制御信号によって第１ないし第Ｎの動き監視センサー２４０−１〜２４０−Ｎのオン／オフ動作を制御する。また、クライアント２０５は位置制御部１２１０の上、下ボタンや左、右ボタンを操作し、第１ないし第Ｎのネットワークカメラ２３０−１〜２３０−Ｎの撮影位置を制御するための信号を第１ないし第Ｎのネットワークカメラ２３０−１〜２３０−Ｎに伝送する（Ｓ１１０８、Ｓ１１１０）。
第１ないし第Ｎのネットワークカメラ２３０−１〜２３０−Ｎは、位置制御信号によりカメラの撮影位置、即ち、カメラのパン（ＰＡＮ）及びチルト（ＴＩＬＴ）を調節する（Ｓ１１２）。その際、パン（ＰＡＮ）の調節範囲は１８０度で、チルト（ＴＩＬＴ）の調節範囲は４５度である。
図１６のランプ制御部１２０４、接続アイコン１２２２、非接続アイコン１２２４、キャップチャーアイコン１２２６、格納アイコン１２２８及び再生アイコン１２３０による動作過程も前述と同様であるので詳細な説明を省略する。
【００５２】
図１７は、本発明により流動ＩＰ住所を有する第１ないし第Ｎのネットワークカメラの位置制御のための順序図である。
図１７を参照すると、クライアント２０５はインターフェースサーバの中継サーバ２２５に接続した後、ＩＤ及びパスワード入力によるログインを行った後、遠隔監視／制御サービスを要求する（Ｓ１３００）。
中継サーバ２２５は、入力されるクライアント２０５のＩＤ及びパスワード等により使用者情報データベース２５１を検索してクライアント２０５が正当なサービス使用者であるかどうかを判断して使用者認証を行う（Ｓ１３０２）。
第１ないし第Ｎのネットワークカメラ２３０−１〜２３０−Ｎが流動ＩＰ住所を有する場合、中継サーバ２２５は、ＭＡＣ住所データベース２５３を検索し（Ｓ１３０４）、クライアント２０５のＩＤに応ずる第１ないし第Ｎのネットワークカメラ２３０−１〜２３０−ＮのＭＡＣ住所をクライアント２０５に伝送する（Ｓ１３０６）。
クライアント２０５は、ＭＡＣ住所を介して中継サーバ２２５に第１ないし第Ｎのネットワークカメラ２３０−１〜２３０−Ｎの接続要求を行ない（Ｓ１３０８）、中継サーバ２２５は、クライアント２０５からのＭＡＣ住所をＩＰ検索サーバ２２４に伝送する（Ｓ１３１０）。
ＩＰ検索サーバ２２４は、住所連動データベース２５４を検索して受信されたＭＡＣ住所に応ずる流動ＩＰ住所を検索し（Ｓ１３１２）、検索されたＩＰ住所を中継サーバ２２５に伝送する（Ｓ１３１４）。
中継サーバ２２５は、流動ＩＰ住所をクライアント２０５に伝送し（Ｓ１３１６）、クライアント２０５は、受信された流動ＩＰ住所とカメラ名／番号を介して第１ないし第Ｎのネットワークカメラ２３０−１〜２３０−Ｎの接続を要求する（Ｓ１３１８）。その際、第１ないし第Ｎのネットワークカメラ２３０−１〜２３０−Ｎは、流動ＩＰ住所とカメラ名／番号により接続を要求したクライアント２０５とインターネットにより接続される。
次に、クライアント２０５は、インターネット接続された第１ないし第Ｎのネットワークカメラ２３０−１〜２３０−Ｎに監視画像を要求し（Ｓ１３２０）、第１ないし第Ｎのネットワークカメラ２３０−１〜２３０−Ｎは、要求された監視画像をクライアント２０５に伝送する（Ｓ１３２２）。その際、第１ないし第Ｎのネットワークカメラ２３０−１〜２３０−Ｎは、要求された監視画像をクライアントに適切なフォーマットに変更して伝送する。
以後の動作、即ち、ステップ１３２４ないしステップ１３３０は、図１５のステップ１１０６ないしステップ１１１２と同様であるので、詳細な説明を省略する。
【００５３】
一方、本発明による遠隔監視／制御システムは、１つのクライアント２０５により複数個のネットワークカメラを登録することができ、登録された複数個のネットワークカメラによる監視画像を１つの画面で同時に確認することができる。即ち、図１８は、本発明の監視画像の画面構成の一例であって、クライアント２０５は４つのネットワークカメラからの第１ないし第Ｎの監視画面を同時に確認することができる。その際、監視画面の解像度も選択アイコン１４００を介して希望のものを選択することができる。
３．常状態監視（侵入探知）サービス
本発明による遠隔監視／制御網を介して異常状態を監視するサービスの動作を説明すると次の通りである。
図１９は、本発明によりネットワークカメラを用いて監視地域の異常状態（例え、侵入探知）を監視するための順序図である。
図１９を参照すると、第１ないし第Ｎのネットワークカメラ２３０−１〜２３０−Ｎは、第１ないし第Ｎの動き監視センサー２４０−１〜２４０−Ｎにより異常動きを感知（侵入を探知）する（Ｓ１５００）。即ち、クライアント２０５は、空いている家、又は、博物館、美術館等に侵入する盗人等の侵入を監視するために、図１６のようなカメラ制御画面でセンサー制御部１２０２により第１ないし第Ｎの動き監視センサー２４０−１〜２４０−Ｎの作動をオン（ＯＮ）させる。これによって、第１ないし第Ｎのネットワークカメラ２３０−１〜２３０−Ｎは、第１ないし第Ｎの動き監視センサー２４０−１〜２４０−Ｎの作動をオンさせて監視地域の動きを検出する。
【００５４】
次に、第１ないし第Ｎのネットワークカメラ２３０−１〜２３０−Ｎは感知された異常状態により異常状態分類コード情報及びＭＡＣ住所をインターフェースサーバ２２０の異常状態受け付けサーバ２２６に伝送する。異常状態受け付けサーバ２２６は、第１ないし第Ｎのネットワークカメラ２３０−１〜２３０−ＮのＭＡＣ住所により固定ＩＰデータベース２５２、または、ＭＡＣ住所データベース２５３を検索し、当該クライアント２０５を検索する（Ｓ１５０４）。また、異常状態受け付けサーバ２２６は、異常状態データ‐ベース２５６を検索し、第１ないし第Ｎのネットワークカメラ２３０−１〜２３０−Ｎからの異常状態分類コードに応ずるメッセージ内容を検索した後、それによる警告メッセージを生成する（Ｓ１５０６）。
【００５５】
次に、異常状態受け付けサーバ２２６は、検索されたクライアント２０５で生成された警告メッセージを伝送する（Ｓ１５０８）。クライアントは、警告メッセージによりクライアントモジュール２０２のカメラ制御プログラムを実行する（Ｓ１５１０）。その際、異常状態受け付けサーバ２２６は、第１ないし第Ｎのネットワークカメラ２３０−１〜２３０−Ｎに監視画像を要求し、第１ないし第Ｎのネットワークカメラ２３０−１〜２３０−Ｎは要求された監視画像を異常状態受け付けサーバ２２６に伝送する（Ｓ１５１４）。
異常状態受け付けサーバ２２６は、第１ないし第Ｎのネットワークカメラ２３０−１〜２３０−Ｎから監視画像を受信し、受信された監視画像情報を格納する（Ｓ１５１６）。
【００５６】
前記過程を介して、クライアント２０５は継続的に監視地域の画像モニターリングを行わなくても異常状態受け付けサーバ２２６から警告メッセージを受信して監視地域の異常状態（侵入探知）を把握する。また、クライアント２０５は異常状態受け付けサーバ２２６により格納された監視画像情報を異常状態を解決するための資料として使用することができる。
４．ホームオートメーションサービス
本発明による遠隔監視／制御網を用いてホームオートメーションサービスを行う過程を説明する。
図２０は、本発明のホームオートメーションを行うための順序図である。
【００５７】
先ず、クライアント２０５は、クライアントモジュール２０２内のホームオートメーションプログラムを遂行する（Ｓ１６００）。
クライアント２０５は、ホームオートメーションプログラムを介してネットワークカメラ２３０に接続された外部装置、例えば、電気炊飯器、エアコン、また、ボイラー等を選択し、選択された外部装置を制御するための制御信号、即ち、ホームオートメーション制御信号を入力する（Ｓ１６０２）。ここで、外部装置は、ＲＳ　２３２Ｃインターフェースを介してネットワークカメラ２３０に接続される。また、ホームオートメーション制御信号は、複数の外部装置を区分するための固有コード及び機能信号を含む。
【００５８】
次に、クライアント２０５は、図１５、または、図１７のような過程を介してネットワークカメラ２３０に接続された後、ホームオートメーション制御信号をネットワークカメラ２３０に伝送する（Ｓ１６０４）。
ネットワークカメラ２３０は、クライアント２０５から受信されたホームオートメーション制御信号の固有コードにより当該外部装置を選択し、Ｘ．１０プロトコルにより選択された外部装置の電力線制御信号を生成する（Ｓ１６０６）。その際、Ｘ．１０プロトコルは、電力線制御プロトコルであって、他の電力線制御プロトコルを用いることもできる。
次に、ネットワークカメラ２３０は、生成された電力線制御信号を当該外部装置に伝送し（Ｓ１６０８）、外部装置は、電力線制御信号によって電源がオン／オフされる。
５．無線インターネット端末機を用いるサービスの例
このような本発明のいろいろなサービスを無線インターネット端末機２１０を介して提供する例を添付図面を参照しながら詳細に説明する。
図２１は、本発明による画像モニターリング（動画像見る）サービスのための無線インターネット端末機の画面例である。
図２１を参照すると、無線インターネット端末機２１０の使用者は、インターフェースサーバ２２０に接続し、ＩＤ及びパスワードを入力し、サービスサイトにログインする。
インターフェースサーバ２２０は、使用者認証された無線インターネット端末機２１０に動画像見る、ホームオートメーション及び侵入探知等のサービスを選択することができるメニュー画面を提供する。
【００５９】
次に、無線インターネット端末機２１０の使用者がサービス選択メニュー画面で‘動画像見る’を選択すると、インターネットサーバ２２５は、無線インターネット端末機２１０の使用者により登録された第１ないし第Ｎのネットワークカメラ２３０−１〜２３０−Ｎの中、いずれかを選択するための画面を出力する。即ち、インターフェースサーバ２２０は、居間、玄関、奥の間等に複数の場所に設けられた第１ないし第Ｎのネットワークカメラ２３０−１〜２３０−Ｎの中、いずれかを選択するための選択画面を出力する。
無線インターネット端末機２１０の使用者が‘居間’を選択すると、インターフェースサーバ２２０は、選択された場所に対する確認のために、‘居間画面を選択しました。’というメッセージを無線インターネット端末機２１０に伝送する。
【００６０】
次に、インターフェースサーバ２２０は、選択されたネットワークカメラが撮影した‘居間’の画像を無線インターネット端末機２１０に伝送する。その際、無線インターネット端末機２１０の使用者が‘居間’を撮影するネットワークカメラの位置制御を選択すると、インターフェースサーバ２２０は、当該ネットワークカメラの上、下、左、右、即ち、パン（ＰＡＮ）とチルト（ＴＩＬＴ）を調節するためのメニュー画面を無線インターネット端末機２１０に伝送する。
無線インターネット端末機２１０の使用者がパン／チルトの調節メニュー画面を参照して‘２’、‘８’、‘４’、‘６’等のテン鍵を用いて第１ないし第Ｎのネットワークカメラ２３０−１〜２３０−Ｎのパン／チルト調節信号を入力すると、これによって、当該ネットワークカメラの監視位置が変更され、インターフェースサーバ２２０は、ネットワークカメラから変更された監視画像を伝達されて無線インターネット端末機２１０の使用者に伝送する。その際、インターフェースサーバ２２０は、第１ないし第Ｎのカメラ２３０−１〜２３０−Ｎから監視画像を受信した後、無線インターネット端末機２１０を介してディスプレイすることができるように画像フォーマットを変更して伝送する。
【００６１】
図２２〜図２４は、本発明により、異常状態監視サービスを行う無線インターネット端末機の画面例である。
図２２を参照すると、無線インターネット端末機２１０の使用者が、インターフェースサーバ２２０に接続されると、インターフェースサーバ２２０は、使用者の認証のためのログイン画面を無線インターネット端末機２１０に出力する。無線インターネット端末機２１０の使用者が、ログイン画面を介してＩＤ及びパスワードを入力してログインすると、インターフェースサーバ２２０はＩＤ及びパスワードにより無線インターネット端末機２１０を認証する。
インターフェースサーバ２２０は、使用者認証された無線インターネット端末機２１０に動画像見る、ホームオートメーション及び侵入探知サービスの中、いずれかを選択するためのメニュー画面を出力する。
無線インターネット端末機２１０の使用者がサービス選択メニュー画面を介して　‘侵入探知’サービスを選択すると、インターネットサーバ２２５は、侵入探知の設定、または、確認選択のためのメニュー画面を無線インターネット端末機２１０に伝送する。無線インターネット端末機２１０に使用者が‘侵入探知設定’を選択すると、インターフェースサーバ２２０は侵入探知設定のための細部選択メニュー画面を無線インターネット端末機２１０に伝送する。即ち、インターフェースサーバ２２０は、侵入探知の‘設定’、‘解除’、または、‘連絡所設定’のための選択メニューを出力し、無線インターネット端末機２１０使用者が連絡所設定を選択すると、インターフェースサーバ２２０は、連絡受ける電話番号を入力せよとの画面を無線インターネット端末機２１０に伝送する。これによって、無線インターネット端末機２１０の使用者は連絡番号入力画面を介して連絡所情報を入力する。
【００６２】
次に、インターフェースサーバ２２０は、図２３でのような侵入探知場所の設定のために、侵入探知設定画面を無線インターネット端末機２１０に出力する。侵入探知設定画面を介して無線インターネット端末機２１０の使用者が侵入探知‘設定’を選択すると、インターフェースサーバ２２０侵入探知場所選択画面を無線インターネット端末機２１０に出力し、無線インターネット端末機２１０の使用者は、‘居間’や‘玄関’等のように侵入探知する場所を選択する。
次に、異常状態受け付けサーバ２２６は、侵入探知が設定された居間のネットワークカメラから侵入情報が受信されると、図２４のように侵入警報メッセージを無線インターネット端末機２１０に伝送する。
無線インターネット端末機２１０の使用者が侵入感知された地域の確認を要求すると、インターフェースサーバ２２０は‘居間’を監視するネットワークカメラに監視画像を要求し、ネットワークカメラは要求された監視画像を無線インターネット端末機２１０に伝送する。これと共に、異常状態受け付けサーバ２２６は予め登録された電話番号（例えば、警備室や警察署、警備業体等）等に自動連結して異常状態感知事実を通知することができる。
【００６３】
図２５は、本発明によりホームオートメーションサービスを遂行するための無線インターネット端末機の画面例である。
図２５を参照すると、無線インターネット端末機２１０の使用者が、サービス選択メニュー画面から‘ホームオートメーション’を選択すると、インターフェースサーバ２２０は、第１ないし第Ｎのネットワークカメラ２３０−１〜２３０−Ｎによりホームオートメーションが遂行される複数の外部装置選択のための画面を無線インターネット端末機２１０に出力する。その際、複数の外部装置は、ＴＶ、居間、ボイラー等を含む。
無線インターネット端末機２１０の使用者が、外部装置中で、‘ボイラー’を選択すると、インターフェースサーバ２２０は‘ホームオートメーションボイラーを制御します。’というメッセージを無線インターネット端末機２１０の画面上に出力し、可動、または、静止を選択するためのメニュー画面を無線インターネット端末機２１０に出力する。無線インターネット端末機２１０の使用者がボイラーの‘可動’を選択すると、インターフェースサーバ２２０は、ボイラー選択のための分類コード及びボイラー可動のための制御信号を第１ないし第Ｎのネットワークカメラ２３０−１〜２３０−Ｎに伝送する。前述の動作により第１ないし第Ｎのネットワークカメラ２３０−１〜２３０−Ｎはボイラーを可動させ、インターフェースサーバ２２０は、‘ボイラーを可動します’というメッセージを無線インターネット端末機２１０の使用者に出力する。
【００６４】
６．ネットワークカメラ
本発明による画像モニターリング及びホームオートメーションの遂行のためのネットワークカメラを添付の図面を参照しながらより詳細に説明する。
図２６は、本発明によるネットワークカメラの内部構成ブロック図である。
図２６を参照すると、ネットワークカメラはイメージ入力部２０００、イメージ圧縮部２０１０、動き監視信号入力部２０２０、位置駆動モータ２０３０、電力線通信部２０４０、状態表示部２０５０、データ格納部２０６０、インターネット通信部２０７０及びカメラ制御部２０８０を含む。
【００６５】
イメージ入力部２０００は、光学レンズ２００２及び光学レンズ２００２を介して撮影された光学イメージを電気的な信号に変換するＣＭＯＳイメージセンサー２００４を含む。その際、ＣＭＯＳイメージセンサー２００４はＣＣＤモジュールからなることができる。イメージ圧縮部２０１０は、イメージ入力部２０００のＣＭＯＳイメージセンサー２００４から電気的信号イメージを画像データに変形し、画像データを圧縮する。その際、データを圧縮する技術はＭＰＥＧ（Ｍｏｖｉｎｇ　Ｐｉｃｔｕｒｅ　Ｅｘｐｅｒｔｓ　Ｇｒｏｕｐ）が用いられる。また、イメージ圧縮部２０１０はカメラ制御部２０８０からの制御信号をＣＭＯＳイメージセンサー２００４に出力する。
【００６６】
動き感知部２０２０は、カメラと一体に構成されるか、または、別個に構成される動き感知センサーからの動き感知信号を入力されてカメラ制御部２０８０に出力する。位置駆動モータ２０３０は、カメラ制御部２０８０の制御信号によりカメラのパン／チルトを調節し、電力線通信部２０４０は、カメラ制御部２０８０の制御信号によりカメラに接続されている外部装置にオン／オフ動作信号を出力する。状態表示部２０５０はカメラ制御部２０８０の制御信号によってカメラの動作状態を表示する。
【００６７】
データ格納部２０６０は、インターネット通信部２０７０からの監視画像要求信号をカメラ制御部２０８０に出力し、カメラ制御部２０８０を介して入力される監視画像をインターネット通信部２０７０に出力する。インターネット通信部２０７０は、第１ないし第Ｎのネットワークカメラ２３０−１〜２３０−ＮとＰＣ端末機２００、または、無線インターネット端末機２１０との間のデータ通信のためのプロトコルを格納するプロトコルスタック格納部２０７２、インターネット通信のためのＴＣＰ／ＩＰプロトコルを格納しているＴＣＰ／ＩＰプロトコル格納部２０７４を含む。また、インターネット通信部２０７０はプロトコルスタック格納部２０７２及びＴＣＰ／ＩＰプロトコル格納部２０７４のプロトコルによるインターネット通信のためのイーサネット（登録商標）インターフェース部２０７６と、カメラのＭＡＣ住所を格納するためのＭＡＣ住所格納部２０７８とを含む。
【００６８】
カメラ制御部２０８０は、データ格納部２０６０を介して入力される監視画像要求信号による制御信号をイメージ圧縮部２０１０に出力し、制御信号によるイメージ圧縮部２０１０からの監視画像をデータ格納部２０６０に出力する。また、カメラ制御部２０８０は動き監視部２０２０、位置駆動モータ２０３０、電力線通信部２０４０及び状態表示部２０５０を制御するための制御信号を出力する。
【００６９】
電力線通信部２０４０は、カメラ制御部２０８０からの電力線制御信号を外部装置に伝送するための電力線送信部２０４２及び電力線制御信号を受信し、外部装置の電源をオン／オフするための電力線受信部２０４４からなる。ここで、電力線２０４４は複数の外部装置の各々に別個に構成されて接続される。
このように構成された本発明にかかるネットワークカメラの動作を説明すると次の通りである。
【００７０】
先ず、本発明のネットワークカメラはインターネット接続されたクライアント２０５からの監視画像要求信号をイーサネット（登録商標）インターフェース２０７６を介して受信する。
イーサネット（登録商標）インターフェース２０７６は、監視画像要求信号をデータ格納部２０６０を介してカメラ制御部２０８０に出力し、カメラ制御部２０８０は監視画像要求信号による画像要求制御信号をイメージ圧縮部２０１０を介してＣＭＯＳイメージセンサー２００４に出力する。
ＣＭＯＳイメージセンサー２００４はカメラ制御部２０８０からの画像要求制御信号により光学レンズ２００２からの光学画像を電気的な信号に変換し、イメージ圧縮部２０１０に出力する。イメージ圧縮部２０１０は、電気的信号の画像をインターネット通信可能な画像データ形態に変化し、圧縮した後、カメラ制御部２０８０に出力する。
カメラ制御部２０８０はイメージ圧縮部２０１０から入力された画像データをデータ格納部２０６０に出力し、データ格納部２０６０は入力された画像データを一時格納してからイーサネット（登録商標）インターフェース２０７６を介してデータ伝送することにより、インターネット接続されたクライアント２０５に伝送する。その際、イーサネットインターフェース２０７６を通じた画像データ伝送の際、通信プロトコルスタック２０７２及びＴＣＰ／ＩＰプロトコル２０７４により通信規約が設定される。
【００７１】
一方、インターネット接続されたクライアント２０５からの第１ないし第Ｎのネットワークカメラ２３０−１〜２３０−Ｎのパン／チルト制御動作を説明する。
クライアントがクライアントモジュール２０２を介してネットワークカメラのパン／チルト調節信号を入力すると第１ないし第Ｎのネットワークカメラ２３０−１〜２３０−Ｎはイーサネット（登録商標）インターフェース２０７６を介してパン／チルト調節信号を受信し、イーサネット（登録商標）インターフェース２０７６は受信されたパン／チルト調節信号をデータ格納部２０６０を介してカメラ制御部２０８０に出力する。
カメラ制御部２０８０は、入力されたパン／チルト調節信号にかかる制御信号を位置駆動モータ２０３０に出力することにより、ネットワークカメラのパン／チルトを調節する。ここで、パンの調節範囲は１８０度で、チルトの調節範囲は４５度である。また、カメラ制御部２０８０は、イーサネット（登録商標）インターフェース２０７６から入力される異常状態監視要求信号をデータ格納部２０６０を介して入力されて、異常状態監視要求信号により動き監視部２０２０に動作制御信号を出力する。次に、カメラ制御部２０８０は動き監視部２０２０からの異常状態監視信号を入力され、入力された異常状態監視信号をデータ格納部２０６０を介してイーサネット（登録商標）インタフェース２０７６に出力する。イーサネット（登録商標）インタフェース２０７６は、異常状態監視信号とＭＡＣ住所とを中継サーバ２２５に伝送し、中継サーバ２２５は、異常状態監視信号による異常状態通報メッセージを当該クライアント２０５に伝送する。
【００７２】
一方、カメラ制御部２０８０は、中継サーバ２２５を介してインターネット接続されたクライアント２０５からの外部装置調節信号をデータ格納部２０６０を介して入力され、入力された外部装置調節信号による電力線制御信号を電力線送信部２０４２に出力する。電力線送信部２０４２は、複数の外部装置中、当該外部装置に接続されている電力線受信部２０４４に出力し、電力線受信部２０４４は、電力線制御信号により外部装置のオン／オフ動作を制御する。
ここで、カメラ制御部２０８０は、電力線制御プロトコルを介して電力線送信部２０４２及び電力線受信部２０４４に電力線制御信号を伝送することによる外部装置の電力線制御を行う。その際、電力線制御プロトコルはネットワーク通信を介して遠隔地に位置した電気装置の電力状態を制御するためのプロトコルであって、本発明はＸ．１０プロトコルを用いる。
【００７３】
前述の外部装置のオン／オフ動作の制御動作、即ち、ホームオートメーション動作を添付図面を参照してより詳細に説明すると次の通りである。
図２７は、本発明にかかるホームオートメーション構成の細部ブロック図である。
図２７を参照すると、ホームオートメーション装置はＰＣ端末機２００、無線インターネット端末機２１０、インターフェースサーバ２２０、ネットワークカメラ２３０、第１ないし第Ｎの外部装置２４０−１〜２４０−Ｎ、第１ないし第Ｎの電力線受信部２５０−１〜２５０−Ｎ及び電源供給部２６０を含む。ここで、第１ないし第Ｎの外部装置２４０−１〜２４０−Ｎはネットワークカメラ２３０に接続されて電力線制御が行われる電気炊飯器２４０−１、エアコン２４０−２及びボイラー２４０−Ｎ等を含む。その際、図２と同一な構成は同一符号を付し、説明は省略する。
電気炊飯器２４０−１、エアコン２４０−２、または、ボイラー２４０−Ｎ等の第１ないし第Ｎの外部装置は、個別的な電力線受信部、即ち、第１ないし第Ｎの電力線受信部２５０−１〜２５０−Ｎを有するように構成される。
第１ないし第Ｎの電力線受信部２５０−１〜２５０−Ｎは、ネットワークカメラの電力線送信部２０４２からの電力線制御信号を受信し、受信された電力線制御信号により電源供給部２６０の電源供給を制御し、第１ないし第Ｎの外部装置２４０−１〜２４０−Ｎのオン／オフ動作を制御する。その際、電力線送信部２０４２の電力線制御信号は、第１ないし第Ｎの外部装置２４０−１〜２４０−Ｎを区分するための固有コードを含むので、第１ないし第Ｎの電力線受信部２５０−１〜２５０−Ｎは電力線制御信号内の固有コードに当該される場合のみに動作される。
【００７４】
７．画像データ圧縮
通常的に、通信網を介して画像データを伝送する場合に発生される画像データの量が多いので、圧縮して伝送する。その際、前述のような本発明の遠隔監視／制御網の場合、クライアントによって伝送速度が異なり、インターネットの特性上、遅延が生じるので、従来の圧縮方式に比べて改善された圧縮方式を適用する必要がある。
図２８は、本発明の望ましい実施の形態にかかる画像データ伝送システムの構成を示すブロック図であって、本発明にかかるネットワークを通じた画像データ伝送システムは、画像データ処理部２２１０、画像サービス部２２２０、制御部２２４０及びクライアント部２２３０からなる。画像データ処理部２２１０は、入力されるアナログ画像信号をディジタル画像信号に変換し、変換された画像信号を順次に圧縮処理して画像サービス部２２２０の要求により出力することになる。ここで、画像データ処理部２２１０は、画像入力部２２１１、デコーディング部２２１２、圧縮部２２１３、選択出力部２２１４、及び第１及び第２のフレームメモリ２２１５、２２１６からなる。画像入力部２２１１は、外部の画像信号を撮影してデコーディング部２２１２に入力し、デコーディング部２２１２は、画像入力部２２１１から入力される外部画像信号をディジタル画像信号に変換した後、変換されたディジタル画像を順次に圧縮部２２１３に出力する。ここで、画像入力部２２１１はカメラであることができる。
圧縮部２２１３は、デコーディング部２２１２から最初入力される原画像を符号化し、Ｉフレーム画像を生成し、以後に入力されるディジタル画像信号に対しては、前記符号化された原画像、即ち、Ｉフレームに対して動き予測及び補償し、動き予測及び補償に伴う動きベクトル値により符号化して複数のＰ（ｎ）フレームを生成することになるのである。即ち、圧縮部２２１３における圧縮方法を簡単に考察すると、１つのグループ（例えば、３０フレーム）の画像内で、Ｉ、Ｐ（１）、Ｐ（２）、Ｐ（３）、．．．Ｐ（２９）の順に圧縮を行う場合、全てのＰフレーム、即ち、Ｐ（１）‐Ｐ（２９）のフレームは常に符号化されたＩフレームを基準に、動きベクトルを計算し、圧縮を行うようになるのである。
【００７５】
このような動作を遂行する圧縮部２２１３に対する詳細構成を添付の図２９を参照しながら考察する。
図２９に示すような圧縮部２２１３は、減算機２３３１、ＤＣＴ部２３３２、量子化部２３３３、可変長符号化部２３３４、ビット率制御部２３３５、スイッチング部２３３６、逆量子化部２３３６、逆ＤＣＴ部２３３２−１、フレームメモリ２３３７、動き推定部２３３８及び制御部２３３９からなる。その際、図２８に示す従来の構成と重なる同一な構成要素に対する具体的な説明を省略する。制御部２３３９は、入力される外部入力画像信号に対するフレームタイプを決定し、入力される入力画像のフレームタイプがＩフレームである場合、スイッチング部２３３６にスイッチング制御信号を提供するのである。また、制御部２３３９は、現在入力されるフレームデータがＩフレームタイプのデータの場合、フレームメモリ２３３７に格納されている以前のＩフレームデータを除去した後、新たに入力されるＩフレームデータがスイッチング部２２３６を介してフレームメモリ２３３７に格納されるようにするのである。
フレームメモリ２３３７は、Ｉフレーム画像データのみを格納し、動き推定部２３３８は、フレームメモリ２３３７に格納されたＩフレームデータと現在入力される入力画像とを比較し、フレーム間の動きを推定した後、動きベクトル値を可変長符号化部２３３４に提供するのである。
スイッチ２３３６は、制御部２３３９のスイッチング制御信号により量子化部２３３３を介して量子化されたＩフレームデータのみを逆量子化部２３３３−１及び逆ＤＣＴ部２３３３−１を介してフレームメモリ２３３７に格納されるようにするのである。減算機２３３１は、フレームメモリ２３３７に格納されたＩフレームデータと現在入力される入力画像、即ち、Ｐフレームデータとの差異値をＤＣＴ部２３３２に出力するのである。
【００７６】
一方、画像データ処理部２２１０の選択出力部２２４０は、制御部２２４０から提供される制御信号により圧縮部２２１３で圧縮されたフレーム画像データを順次に出力し、第１、第２のフレームメモリ２２１５、２２１６に交互に格納させる。即ち、圧縮部２２１３から最初符号化されたＩフレームデータは、第１のフレームメモリ２２１５に格納させ、
以後に符号化されたＰ（１）フレームデータは、第２のフレームメモリ２２１６に格納させる。その際、符号化されたＩフレームデータは、第１のフレームメモリ２２１５に格納されてから画像サービス部２２２０の要求により出力されることになる。従って、符号化されたＰ（２）フレームデータは、第１のフレームメモリに格納され、符号化されたＰ（３）フレームデータは、第２のフレームメモリ２２１６に格納されることになる。ここで、Ｐ（３）フレームデータが格納される前に、既に符号化されて格納されたＰ（１）フレームデータは、画像サービス部２２２０の要求により出力されるか、出力の要求がない場合には前記符号化されたＰ（３）フレームデータの格納により削除される。即ち、Ｐ（１）フレームデータにＰ（３）フレームデータがオーバレイされることにより、Ｐ（１）フレームデータは削除される。
【００７７】
一方、図２８に示している画像サービス部２２２０は、クライアント部２２３０から画像伝送要求がある場合、画像伝送機能を行うタスク（Ｔａｓｋ）を発生させてから画像データ処理部２２１０の各フレームメモリ２２１５、２２１６に格納された、最近符号化された画像フレームデータを読込んで画像伝送を要求した当該クライアントにネットワークを介して伝送することになる。ここで、ネットワークは、有、無線ネットワーク、例えば、ＩＳＤＮ、ＰＳＴＮ等のネットワークであることができる。
一方、クライアント部２２３０は、クライアント使用者側のコンピュータであって、画像サービス部２２２０から伝送された符号化された画像データを復号化し、ディスプレイ手段に再生させる。即ち、符号化された画像データを復号化して使用者側コンピュータのディスプレイ画面（モニタ）にディスプレイする。そして、制御部２２４０は、画像データ処理部２２１０と画像サービス部２２２０内の各フレームメモリの選択及びデータ処理時間制御等の制御信号を綜合的に発生する。
【００７８】
このような構成を有する本発明の望ましい実施の形態によるネットワークを通じた画像データ伝送装置の動作について説明する。
先ず、図２８に示すように、画像データ処理部２２１０内の画像入力部２２１１、即ち、カメラから入力される外部の画像信号は、デコーディング部２２１２に出力される。デコーディング部２２１２は、画像入力部２２１１から入力される外部画像信号を順次にディジタル画像信号に変換した後、変換されたディジタル画像信号を順次に圧縮部２２１３に出力する。圧縮部２２１３は、デコーディング部２２１２から最初入力される原画像を符号化し、Ｉフレーム画像を生成し，以後に入力されるディジタル画像信号に対しては前記符号化された原画像、即ち、Ｉフレームに対して動き予測及び補償し、動き予測及び補償による動きベクトル値により符号化し、複数のＰ（ｎ）フレームを生成することになる。
ここで、圧縮部２２１３の動作について、図２９を参照しながらより詳細に説明する。先ず、外部から画像信号が入力されると、制御部２３３９は入力される画像信号に対するフレームタイプを検出する。即ち、入力される画像タイプがＩフレームデータであるか、Ｐフレームデータであるかを判断することになる。その結果、入力画像がＩフレームデータの場合、制御部２３３９はスイッチング部２３３６にスイッチング制御信号を提供し、スイッチをオンさせる。
一方、入力されるＩフレームデータ（原画像データ）は、ＤＣＴ部２３３２に入力されてＤＣＴ変換され，ＤＣＴ変換されたＩフレームデータは量子化部２３３３を介して可変長符号下部２３３４及びスイッチング部２３３６に出力される。可変長符号化部２３３４は、量子化部２３３３で量子化されたＩフレームデータを可変長符号化させてビット列で出力し、ビット率制御部２３３５は可変長符号化部２３３４から出力されるビット列の長さにより量子化部２３３３の動作を制御するのである。
【００７９】
一方、スイッチング部２３３６に入力されたＩフレームデータは、逆量子化部２３３３−１及び逆ＤＣＴ部２３３２−１を介してフレームメモリ２３３７に格納される。このように、Ｉフレームデータがフレームメモリ２３３７に格納された状態で、外部から前記フレームメモリ２３３７に格納されたＩフレームデータの同一グループ内のＰフレームデータが入力される場合、制御部２３３９は、スイッチング部２３３６にスイッチング制御信号を提供し、スイッチをオフさせることになる。そして、減算機２３３１は入力されるＰフレームデータとフレームメモリ２３３７に格納されたＩフレームデータとの差異信号を計算して、ＤＣＴ部２３３２、量子化部２３３３及び可変長符号化部２３３４を介して圧縮されてビット率で出力される。
その際、動き推定部２３３８は、現在入力されるＰフレーム画像を常に同一グループ内のフレームメモリ２３３７に格納されたＩフレーム画像データと比較して動きを推定した後、動きベクトル値を可変長符号化部２３３４に提供することになる。従って、可変長符号化部２３３４は、動き推定部２３３８から提供される動きベクトル値によりフレームメモリ２３３７に格納されたＩフレーム画像と同一グループ内のＰフレーム画像を符号化することになる。このように１つのグループに対する画像の圧縮が完了された後、新たな画像、即ち、他のグループのＩフレーム画像が入力される場合、制御部２３３９は、フレームメモリ２３３７に格納された以前のグループのＩフレーム画像を除去した後、スイッチング部２３２６を制御して新たなグループ内のＩフレーム画像をフレームメモリ２３３７に格納させるのである。即ち、圧縮部２２１３での圧縮方法を図３０を参照しながら考察する。
【００８０】
図３０は、図２８、または、図２９に示している圧縮部２１３で行われる本発明の望ましい実施の形態による画像フレーム圧縮符号化方法を示す例示図である。
デコーディング部２２１２から変換されて入力される最初のディジタル画像信号に対する空間的リダンダンシーを除去した、圧縮された画像データ、即ち、Ｉフレームデータを生成することになる。このように生成されたＩフレームデータは選択出力部２２１４を介して第１のフレームメモリ２２１５に格納される。そして、圧縮部２２１３は既に符号化されたＩフレームデータから予測される未来の予測インコーディング画像、即ち、Ｐフレームデータを生成し、選択出力部２２１４を介して第２のフレームメモリ２２１６に格納する。その際、第１のフレームメモリ２２１５に格納されたＩフレームデータは、フレームデータ伝送制御部２２２１の制御により画像サービス部２２２０内の各フレームメモリ２２２２‐１、２２２２‐１、２２２２‐３、．．．２２２２‐ｎに各々格納される。次に、圧縮部２２１３は既に符号化されたＩフレームデータから予測される又別のＰフレームデータを生成し、選択出力部２２１４を介して第１及び第２のフレームメモリ２２１５、２２１６に交互に格納される。即ち、圧縮部２２１４では最初Ｉフレームに対して符号化した後、第１のフレームメモリ２２１５に格納されてから画像サービス部２２２０内の複数のフレームメモリに格納されることになり，以後の全ての画像信号（Ｐフレームデータ）に対しては、既に符号化されたＩフレームデータを基準にして、動き予測及び補償を通じた動きベクトルを算出し、１つのグループ内の全てのＰフレーム、即ち、Ｐ（１）、Ｐ（２）、Ｐ（３）、．．．Ｐ（２９）（１つのグループが３０フレームからなる場合）を順次に符号化し、選択出力部２２１４を介して第１及び第２のフレームメモリ２２１５、２２１６に格納されるものである。その際、第１、第２のフレームメモリ２２１５、２２１６に既にＰフレームデータが符号化されて格納されている状態で、又別のＰフレームが符号化された場合には既に格納されたＰフレームデータを削除した後、新しく符号化されたＰフレームデータを格納するのである。
【００８１】
結局、圧縮部２２１３は図２９に示すようにデコーディング部２２１２から入力される１つのグループ（例えば、３０フレーム）の画像内で、Ｉ、Ｐ（１）、Ｐ（２）、Ｐ（３）、．．．Ｐ（２９）の順に圧縮を行う場合、全ての予測フレーム、即ち、Ｐ（１）―Ｐ（２９）フレームは常に符号化されたＩフレームを基準にして動きベクトルを計算して符号化を行うことになる。言い換えると、カメラから撮影された１３０秒の画像は、デコーディング部１２０を介してディジタル画像信号に変換された後、圧縮部２２１３内のフレームメモリ２２３７に格納した後、格納された画像データからデータ圧縮を実行する。即ち、Ｉフレームは、１つの画面全体を圧縮するのであり、従って、画像内の空間的相関関係を用いたＤＣＴ変換を適用する。
１つの画面には、直流成分を含む低い周波数で交流成分の高い周波数成分を有する画素ブロックが存在するが、ＤＣＴ変換を実行することになると、高周波成分が除去され、低周波成分に偏重される。
【００８２】
従って、このようなＤＣＴ方式を用いて空間領域のリダンダンシーを除去することにより、画像圧縮を行うのである。前記、既に圧縮されて格納部に格納されたＩフレームデータを読込み、読込んだＩフレームデータから予測を行い、以後の全てのＰフレームデータを生成することになる。即ち、全画面画像であるＩフレームデータを基にして動きが予測される部分の移動量を（Ｘ、Ｙ）座標で表示して動きベクトルを生成し、動きが予測される部分の画像のみを持って来る動き補償過程を介してＰフレームデータを生成することになる。ここで、前記Ｉフレームデータが空間的リダンダンシーを除去することにより、圧縮を行ったデータであれば、Ｐフレームデータは、前記Ｉフレームデータに対する時間的相関関係による圧縮、即ち、時間的リダンダンシーを除去したデータである。そして、圧縮部２２１３は、次のＰフレームデータに対する予測のために、符号化されたＩフレームデータをデコーディングし、デコーディングされたＩフレームデータを圧縮部２２１３内の動き予測処理部（図示していない）に提供するのである。
【００８３】
選択出力部２２１４は、制御部２２４０で提供される制御信号により、圧縮部２２１３で圧縮されたＩ及びＰフレーム画像データを順次出力し、第１、第２のフレームメモリ２２１５、２２１６に交互に格納させる。即ち、圧縮部２２１３で最初符号化されたＩフレームデータは、第１のフレームメモリ２２１５に格納させ、以後に符号化されたＰ（１）フレームデータは、第２のフレームメモリ２２１６に格納させる。その際、符号化されたＩフレームデータは、第１のフレームメモリ２２１５に格納されてから画像サービス部２２２０の要求により出力されることになる。従って、符号化されたＰ（２）フレームデータは、第１のフレームメモリに格納されることになり、符号化されたＰ（３）フレームデータは、第２のフレームメモリ２２１６に格納されることになる。ここで、Ｐ（３）フレームデータが格納される前に、既に符号化されて格納されたＰ（１）フレームデータは、画像サービス部２２２０の要求により出力されるか、出力の要求がない場合には前記符号化されたＰ（３）フレームデータの格納により削除されるのである。即ち、Ｐ（１）フレームデータにＰ（３）フレームデータをオーバレイされることにより、Ｐ（１）フレームデータは削除されるのである。
【００８４】
前記のように入力される画像に対して、圧縮過程を行う途中で、クライアント部２２３０から画像伝送信号の要求がある場合、画像サービス部２２２０は、画像伝送機能を遂行するタスク（Ｔａｓｋ）を発生させた後、画像データ処理部２２１０の各フレームメモリ２２１５、２２１６に格納された、最近符号化された画像フレームデータを読込んで画像伝送を要求した当該クライアントにネットワークを介して伝送することになる。ここで、ネットワークは有、無線ネットワーク、例えば、ＩＳＤＮ、ＰＳＴＮ等のネットワークであることができる。クライアント部２２３０の中、画像データの伝送を要求した当該クライアントは画像サービス部２２２０から伝送された符号化された画像データを復号化してディスプレイ手段に再生させる。即ち、符号化された画像データを復号化して使用者側コンピュータのディスプレイ画面（モニタ）にディスプレイするのである。
【００８５】
以下、画像サービス部２２２０の動作について、より詳細に考察する。
先ず、複数のクライアント２２３１‐１、２２３１‐２、２２３１‐３、．．．２２３１‐ｎからなるクライアント部２２３０の１つのクライアントがネットワークに接続して画像データの伝送を要求した場合、データ送受信部２２２３は当該要求信号を受信することになる。
【００８６】
画像データ伝送要求信号を受信した場合、データ送受信部２２２３は、当該クライアントに画像伝送機能を遂行することができるタスクを発生させ、発生されたタスクを用いて当該クライアントに応ずる画像サービス部２２２０内のフレームメモリに格納されたＩフレーム画像データをネットワークを介して当該クライアントに伝送すると共に、フレームデータ伝送制御部２２２１にデータ読込み制御信号（Ｄａｔａ　Ｒｅａｄ　Ｓｉｇｎａｌ）を提供することになる。
従って、フレームデータ伝送制御部２２２１は、データ送受信部２２２３から提供される画像フレームデータの要求信号により、第１、第２のフレームメモリ２２１５、２２１６に格納されたＰフレームデータを読込んで当該クライアントに応ずる画像サービス部２２２０内のフレームメモリに格納させる。
【００８７】
画像サービス部２２２０内のフレームメモリに格納された当該Ｐフレームデータは、データ送受信部２２２３に出力する。従って、データ送受信部２２２３は、当該フレームメモリから出力されるＰフレームデータをネットワークを介して当該クライアントに伝送することになる。即ち、本発明にかかる画像データ伝送システムは、例えば高速ネットワーク網に連結されたクライアントから画像データ伝送要求を受ける場合、符号化される順に全てのフレームデータ、即ち、Ｉ、Ｐ（１）、Ｐ（２）、．．．Ｐ（ｎ‐１）、Ｐ（ｎ）を全て提供し、中速ネットワーク網に連結されたクライアントの場合、Ｉ、Ｐ（２）、Ｐ（４）、．．．Ｐ（ｎ）のみを伝送し、低速ネットワーク網に連結されたクライアントにはＩフレームのみを伝送する。その際、ネットワーク伝送速度によって互いに異なるＰフレームデータを伝送することになり、Ｉフレームデータは共通に伝送することになる。
従って、当該フレームデータを受信したクライアントでは、符号化されたＩフレームデータを基準にして全てのＰフレームデータを復号化するため、切れない画面を再生することができる。結局、本発明によるネットワークを通じた画像データ伝送装置及びその方法は、クライアントからデータ伝送の要求がある場合、正しくその瞬間に該当する画像圧縮フレームデータを伝送しても、常に復元可能になる。即ち、クライアント側での画像出力をクライアントデータ処理速度に合わせて伝送するため、実際の画像を復元してディスプレイする場合にネットワークの遅延速度の問題により発生可能な不意の画面の切れ等がなくて、柔らかく、不自然でない画面の再生がなされるのである。
【００８８】
このような効果を来すための本発明にかかる画像データ圧縮方法は、１つのグループ（例えば、３０フレーム）の画像内で、Ｉ、Ｐ（１）、Ｐ（２）、Ｐ（３）、．．．Ｐ（ｉ）（ここで、Ｉは、１、２、３、４、．．．２９）順に圧縮する時、Ｐ（ｉ）フレームは常にＩフレームを基準にして動きベクトルを計算する。例え、既存のＨ．２６１、ＭＰＥＧ標準案の圧縮過程では、Ｐ（ｉ＋１）フレームは、直前のＰ（ｉ）フレームを基準で動きベクトルを計算するため、クライアント側での復号化は、Ｐ（ｉ＋１）の再生はＰ（ｉ）フレームが予め伝送されなければ可能でないのである。もし、Ｐ（ｉ）フレームがネットワーク網の伝送遅延時間によりサーバ側、即ち、図２８に示している画像サービス部２２２０側からクライアント部２２３０側に伝送することができなかったら、クライアント側ではＰ（ｉ＋１）フレームが受信されても再生することができないのである。しかし、本発明における圧縮方法は、サーバ側でＰ（ｉ）フレームはＰ（ｉ）フレームが属する画像グループ内のＩフレームを基にして動きベクトルを計算して符号化した後、クライアント側に伝送するので、各クライアント側では、Ｉフレームに対する同じ画像グループ内のどのようなＰフレームの画像も再生可能である。但し、１つのグループ内のＩフレームは常に伝送されることを仮定しなければならない。
【００８９】
【発明の効果】
以上、説明したように、本発明にかかるネットワークカメラは、ネットワーク固有住所によりカメラ登録され、ＰＣ端末機、または、無線インターネット端末機の使用者の接続要求の際、流動ＩＰ住所体系を有するネットワークカメラの流動ＩＰ住所を使用者に伝送することにより、ネットワークカメラとＰＣ端末機、または、無線インターネット端末機の使用者は、インターネット接続される。また、ネットワークカメラが固定ＩＰ住所体系を有する場合、ＰＣ端末機、または、無線インターネット端末機の使用者は固定ＩＰ住所を介してネットワークカメラに接続される。
【００９０】
だから、本発明は遠隔地にネットワークカメラと使用者とネットワークカメラのネットワーク固有住所を介してネットワーク接続され、使用者はネットワーク接続されたネットワークカメラから遠隔地の監視画像を提供受けることができ、より効率の良い画像モニターリングを提供することができるので、使用者により効率的な画像モニターリングを提供することができる効果がある。
また、本発明は、ネットワーク固有住所を介してネットワーク接続されたカメラの監視位置を調節することができるので、使用者が一定の地域のモニターリングに対する信頼性を向上させることができる効果もある。
【００９１】
また、本発明は、ネットワークカメラの異常動き監視により不法侵入等の異常状態を監視し、監視された異常状態をインターフェースサーバを介して使用者に警告メッセージを伝送することができるので、より効率の良い画像モニターリングを提供することができる効果もある。
また、本発明は、ネットワークカメラに接続されている電気炊飯器、エアコン、または、ボイラー等の外部装置のオン／オフ動作を遠隔から制御することができるので、使用者の便宜性を向上することができる効果もある。
【図面の簡単な説明】
【図１】本発明にかかるネットワークカメラを用いる遠隔監視／制御網の構成図である。
【図２】図１に示す遠隔監視／制御サービスサイトの細部構成ブロック図である。
【図３】図２に示す使用者情報データベースの例示図である。
【図４】図２に示す固定ＩＰ住所データベースの例示図である。
【図５】図２に示すＭＡＣ住所データベースの例示図である。
【図６】図２に示す住所連動データベースの例示図である。
【図７】図２に示す異常状態情報データベースの例示図である。
【図８】本発明の使用者認証過程を示す順序図である。
【図９】本発明のＩＰ住所を有するカメラ登録過程を示す順序図である。
【図１０】本発明にかかるカメラ登録画面の例示図である。
【図１１】本発明の流動ＩＰ住所を有するカメラ登録過程を示す順序図である。
【図１２】クライアントモジュールが設けられていない場合、本発明により固定ＩＰを有するネットワークカメラを登録するための順序図である。
【図１３】クライアントモジュールが設けられていない場合、本発明により流動ＩＰを有するネットワークカメラを登録するための順序図である。
【図１４】本発明により流動ＩＰ住所のアップデート過程を示す順序図である。
【図１５】本発明により固定ＩＰ住所を有するネットワークカメラの監視位置を制御するための順序図である。
【図１６】本発明によるカメラ接続及び制御画面の例示図である。
【図１７】本発明により流動ＩＰ住所を有するネットワークカメラの監視位置を制御するための順序図である。
【図１８】本発明による画像画面の例示図である。
【図１９】本発明による異常状態監視手続きを示す順序図である。
【図２０】本発明によるホームオートメーションサービスを行うための順序図である。
【図２１】本発明により動画像見る動作を行う無線インターネット端末機の画面例である。
【図２２】本発明により侵入探知サービスを遂行するための無線インターネット端末機の画面例である。
【図２３】本発明により侵入探知サービスを遂行するための無線インターネット端末機の画面例である。
【図２４】本発明により侵入探知サービスを遂行するための無線インターネット端末機の画面例である。
【図２５】本発明によりホームオートメーションを遂行するための無線インターネット端末機の画面例である。
【図２６】本発明によるネットワークカメラの内部構成ブロック図である。
【図２７】本発明によるホームオートメーションのためのネットワーク構成例である。
【図２８】本発明による画像圧縮伝送システムを示す概略図である。
【図２９】本発明による図２８に示す圧縮部の細部構成ブロック図である。
【図３０】本発明による圧縮符号化を説明するために示すピクチュアの例示図である。
【符号の説明】
１００　　　　ＰＣ端末機
１１０　　無線インターネット端末機
１２０　　無線インターネットサーバ
１３０　　基地局
１４０　　インターフェースサーバ
１５０−１、．．．１５０−Ｎ　　第１ないし第Ｎのネットワークカメラ
【図１】
2004040272.tif 000003
【図２】
2004040272.tif 000004
【図３】
2004040272.tif 000005
【図４】
2004040272.tif 000006
【図５】
2004040272.tif 000007
【図６】
2004040272.tif 000008
【図７】
2004040272.tif 000009
【図８】
2004040272.tif 000010
【図９】
2004040272.tif 000011
【図１０】
2004040272.tif 000012
【図１１】
2004040272.tif 000013
【図１２】
2004040272.tif 000014
【図１３】
2004040272.tif 000015
【図１４】
2004040272.tif 000016
【図１５】
2004040272.tif 000017
【図１６】
2004040272.tif 000018
【図１７】
2004040272.tif 000019
【図１８】
2004040272.tif 000020
【図１９】
2004040272.tif 000021
【図２０】
2004040272.tif 000022
【図２１】
2004040272.tif 000023
【図２２】
2004040272.tif 000024
【図２３】
2004040272.tif 000025
【図２４】
2004040272.tif 000026
【図２５】
2004040272.tif 000027
【図２６】
2004040272.tif 000028
【図２７】
2004040272.tif 000029
【図２８】
2004040272.tif 000030
【図２９】
2004040272.tif 000031
【図３０】
2004040272.tif 000032